(57)【特許請求の範囲】
【請求項１】
本体と、
この本体の表面の一部に情報を表示する表示領域を有する表示手段と、
上記本体に開閉可能に設けられ、閉じられたとき上記表示領域の一部を残して該表示領域を覆う蓋と、
この蓋の開閉を検出する位置検出手段と、
この位置検出手段の検出結果に応じて、上記蓋が閉状態で動作している所定アプリケーション状態から上記蓋が開かれたとき、開状態で動作する特定のアプリケーションに対応するアプリケーション画面を移行画面として設定するとともに、上記蓋が開状態で動作している所定アプリケーション状態から上記蓋が閉じられたとき、閉状態で動作する特定のアプリケーションに対応するアプリケーション画面を移行画面として設定する移行画面決定手段と、
上記位置検出手段の検出結果に応じて、上記移行画面決定手段が移行画面として設定するアプリケーション画面を、上記蓋が開かれたとき上記表示手段の表示領域の全体に、上記蓋が閉じられたとき上記表示手段の表示領域の一部に、切替表示する表示切替手段とを備えたことを特徴とする携帯情報端末装置。
【請求項２】
表示切替手段は、移行画面決定手段が設定する移行画面を、上記表示手段の表示領域の全体または一部に切替表示するとともに、表示向きを変更して切替表示することを特徴とする請求項１に記載の携帯情報端末装置。
【請求項３】
蓋が閉状態で動作している状態を電話機モードとし、蓋が開状態で動作している状態を情報端末モードとすることを特徴とする請求項１に記載の携帯情報端末装置。
【請求項４】
移行条件と移行画面を設定した遷移表を備え、上記移行画面決定手段は上記遷移表に基づき移行画面を決定することを特徴とする請求項１記載の携帯情報端末装置。
【請求項５】
移行条件と移行画面をユーザ情報として任意に設定できるユーザ情報設定手段を有し、このユーザ情報設定手段で設定されたユーザ情報に基づき移行画面を設定することを特徴とする請求項１記載の携帯情報端末装置。
【請求項６】
移行画面設定の履歴情報を格納する履歴情報格納手段を有し、この履歴情報格納手段により格納された履歴情報に基づき移行画面を設定することを特徴とする請求項１記載の携帯情報端末装置。
【請求項７】
電話機モードにおいて通話中に情報端末モードに移行することができ、少なくとも通話中に移行した移行画面を含んだ電話機モードの通話ログ情報を格納する通話ログ情報格納手段を有し、この通話ログ情報に基づき移行画面を設定することを特徴とする請求項１記載の携帯情報端末装置。
【発明の詳細な説明】
【０００１】
【発明の属する技術分野】
この発明は、携帯情報端末装置に関するものであり、特に携帯電話等の移動無線通信装置に、電子手帳、データ通信、ワードプロセッサ、パーソナルコンピュータ等の機能を備えた携帯情報端末装置に関するものである。
また、この発明は、携帯情報端末装置、特に携帯電話等の移動無線通信装置と個人情報管理機能を融合させた端末機のユーザインタフェースと通信制御に関するものである。
また、この発明は、例えば、携帯情報端末装置のような携帯用電子機器に関し、入力表示部を保護するカバー構造に関するものである。
【０００２】
【従来の技術】
携帯電話に電子手帳の機能を備えた従来の携帯情報端末装置として、例えば、日本特許出願の特開平５−２１１４６４号公報に示された携帯情報端末装置がある。以下、特開平５−２１１４６４号公報の概要を示す。
図５８及び図５９は、この従来の携帯情報端末装置の外観を示す平面図である。
図５８において、１は携帯情報端末装置本体、２はアンテナ、３はスピーカ、４は液晶ディスプレイ、５はマイク、６は電話用キーボード、７は蓋である。
図５９は、図５８における蓋７を開いた状態の平面図であり、８は電子手帳用キーボード、９はカバースイッチである。
【０００３】
ダイヤルキー等の電話用キーボード６は、携帯情報端末装置本体１の上面に開閉可能に取付られた蓋７の上面に設けられ、文字データ入力キー等の電子手帳用キーボード８は、蓋７の裏面と携帯情報端末装置本体１の蓋７により覆われる領域に設けられている。そして、蓋７の開閉状態を検出するカバースイッチ９の出力に基づいて、電話モードと電子手帳モードを切換制御する。即ち、蓋が閉じた状態（蓋閉状態）では電話モードになり、通常の携帯電話として使用することができる。一方、蓋が開いた状態（蓋開状態）では電子手帳モードとなり、通常の電子手帳として使用することができる。
【０００４】
図６０は、この携帯情報端末装置の電子手帳用データを記憶するメモリの構成を示す図である。このメモリは、携帯情報端末装置本体１に内蔵されるＲＡＭで、図５８，図５９には図示していない。
図６０において、１０は電話帳データ記憶部、１１はスケジュールデータ記憶部、１２はメモデータ記憶部である。
【０００５】
電話帳データ記憶部１０は、電子手帳用キーボード８から入力された名前と電話番号を対応させて記憶する。また、スケジュールデータ記憶部１１は、電子手帳用キーボード８から入力された行動内容と、開始予定日時及び終了予定日時を対応させて記憶する。更に、メモデータ記憶部１２は、電子手帳用キーボード８から入力されたデータを一括して記憶する。
【０００６】
図６１，図６２，図６３は、液晶ディスプレイ４に表示される画面の例を示す図である。この例の画面では、液晶ディスプレイ４に３行分の文字列を表示することが可能である。１行目は選択されている機能名やモード名、状態情報等を表示する行であり、２行目と３行目は電話用キーボード６又は電子手帳用キーボード８から入力されたデータや、ランダムアクセスメモリＲＡＭ（図示せず）から読出したデータを表示する行である。
【０００７】
例えば、蓋閉状態、即ち、モードが電話モードの時は、そのモードを示す「ＴＥＬ」１３と受信感度を示すマーク１４が１行目に表示される。そして、電話用キーボード６の数値キーを押下することによって入力されたダイヤルデータ「０３６７８９５４２１」１５は、３行目に表示される（図６１）。
【０００８】
また、蓋開状態、即ち、モードが電子手帳モードで、電話帳データ検索モードの時は、そのモードを示す「ＴＥＬ．ＮＯ．ＳＥＡＲＣＨ」１６が１行目に表示される。また、２行目には検索されたデータの名前部「ＹＡＭＡＤＡ  ＴＡＲＯ」１７が、３行目にはその電話番号部「０３−６７８９−５４２１」１８が、それぞれ表示される（図６２）。このデータは、携帯情報端末装置本体１に内蔵されたＲＡＭ（図示せず）内の図６０に示した電話帳データ記憶部１０から読出されたデータを表示したものである。蓋開状態では、英字キーや仮名キー等を含む電子手帳用キーボード８を用いて、データの検索、入力、修正、削除等を容易にすることができる。
【０００９】
図６２に示した状態で更に蓋を閉じた場合、電話モードとなり、そのモードを示す「ＴＥＬ」１３と受信感度を示すマーク１４が１行目に追加表示される（図６３）。この段階で、「Ｓ」（ＳＥＮＤ）キーを押下すると、電話モードであるから、表示されたダイヤル番号に、実際にダイヤルすることができる。
【００１０】
このように、特開平０５−２１１４６４号公報に示された携帯情報端末装置は、本体筺体に取り付けた開閉部材の裏面と、開閉部材に覆われている本体の表面との両方に電子手帳用の操作キーを設けて、文字データの入力をしやすくする電子手帳機能を備えた携帯電話装置である。
【００１１】
また、別の従来の携帯情報端末装置として、例えば、日本特許出願の特開平６−２８４０６７号公報に示された携帯情報端末装置がある。この携帯情報端末装置は、携帯電話にワードプロセッサ、或いは、パーソナルコンピュータの機能を備えたものである。
【００１２】
図６４及び図６５は、この従来の携帯情報端末装置の外観を示す平面図である。
図６４は、蓋７を閉じた状態の平面図、図６５は、蓋７を開いた状態の平面図である。
図６５において、１９はヒンジである。この従来の携帯情報端末装置では、蓋７と携帯情報端末装置本体１が平面図の平面と平行な面で重ね合されており、携帯情報端末装置本体１と蓋７は、閉じた状態から開いた状態迄の必要な位置で静止させることができるヒンジ１９により結合されている。
【００１３】
通常、携帯電話として使用する場合は、図６４に示すように、携帯情報端末装置本体１と蓋７を重ね合せ、蓋７を閉じた状態で使用する。電話用キーボード６の電源キー「Ｐ」を押下し、着信があった場合は、電話用キーボード６の発信キー「Ｓ」を押下することにより通話が可能になる。また、電話用キーボード６のワンタッチキー「Ｄ」を押下することにより、自動的に対応するダイヤル信号が送信され、発呼することができる。終話の場合は、電話用キーボード６の終話キー「Ｅ」を押下する。
【００１４】
発呼時に手動的にダイヤルする場合は、電源キー「Ｐ」を押下した後に蓋７を開き、電子手帳用キーボード８の発信キー（図示せず）を押下し、電子手帳用キーボード８のダイヤルキー（図示せず）によりダイヤル番号を入力する。その後に蓋７を閉じて通話状態になると、通話することができる。
【００１５】
ワードプロセッサ、或いは、パーソナルコンピュータとして使用する場合には、蓋を閉じた状態で電話用キーボード６の電源キー「Ｐ」を押下した後に蓋７を開き、蓋７を開いた状態で電子手帳用キーボード８の所定のキー（図示せず）を操作することによって、アプリケーションを起動する。電子手帳用キーボード８の入力モード選択キー（図示せず）を操作することにより、仮名、ローマ字のいずれかの入力モードを選択し、ワードプロセッサとして機能させることやパーソナルコンピュータに必要なデータを入力することができる。また、入力に係る文字を液晶ディスプレイ４に表示し、その入力情報を確認することができる。
【００１６】
図６６は、上記一連の処理を実行するために、携帯情報端末装置本体１に内蔵されたプロセッサ（図示せず）が実行するフローチャートである。このフローチャートに示したプログラムは、携帯情報端末装置本体１に内蔵されたＲＯＭに記憶されている。
【００１７】
プロセッサは、周期的に入力の有無を検出している（Ｓ１）。入力を検出すると、これを分析し（Ｓ２）、判断のステップＳ３において、電話機能に係るものであるか、アプリケーションに係るものであるか、ＩＣ（インテグレーテッドサーキット）カードのデータの読み書きに係るものであるかを検出する。
【００１８】
ここで、電話機能に係るものである場合は、制御回路（図示せず）と情報交換（発信キーが操作された、終話キーが操作された等の情報を送出し、着信の情報を受け、対応する必要な情報の表示を行う等）する（Ｓ４）。
【００１９】
また、アプリケーションに係るものである場合には、対応するアプリケーションを起動し、コントロールをアプリケーションに渡す（Ｓ５）。アプリケーションソフトウェアとしては、ワードプロセッサソフトウェア、通信ソフトウェア、データベース、表計算ソフトウェアが予め、或いは、ＩＣカードによりロードされ、携帯情報端末装置本体１に内蔵されたＲＡＭ（図示せず）に記憶されている。
【００２０】
更に、ＩＣカードのデータの読み書きに係るものである場合には、携帯情報端末装置本体１に内蔵されたＲＡＭ（図示せず）と、ＩＣカードの間のデータ転送を実行する（Ｓ６）。
【００２１】
このように、特開平０６−２８４０６７号公報に示された携帯情報端末装置は、携帯無線電話機の筺体が、表面に平行な面で２つのピースに分けられ、向かい合わせの面に表示装置と文字入力用のキーを設けることにより大型のディスプレイと多くのキーを設けても携帯性を損なわない構造を提供するものである。電話機筺体の表面と平行な面で分割された２つのピースは、閉じた状態から開いた状態までの必要な位置で静止させることができるヒンジで結合されており、２つのピースを閉じて重ね合わせた状態ではワンタッチダイヤルキー、終話スイッチ、電源スイッチなどのキーが設けられた操作面を使用して電話のダイヤル操作や通話ができる。携帯電話機としてではなくワードプロセッサやパーソナルコンピュータとして使用する場合には、２つのピースを開いた状態にして大型のディスプレイと文字入力のために用意された数多くのキーによって、文字データの入力が行えるようになっている。
【００２２】
一方、電子機器の入力表示部保護カバーの構造については、例えば、日本特許出願の特開平４−８５８９５号公報に示されたように、保護カバーの一部に軸を設け、その軸を基点に案内溝の形状を変え、回転やスライドさせる構造を有する物や、また、日本実用新案登録出願の実開平４−６７３８１号公報に示されたように、ラップトップ型電子機器において、逆に保護カバーに溝を形成し、スライドさせて表示面を覆うものであった。しかし、これらは使用時に入力表示部を露呈し、不使用時はカバーで保護するだけのものであり、入力表示部の保護ばかりでなく、キーパネルの保護や堅牢性、操作性を大きく改善するものではない。
例えば、図６７は、保護カバー付き電子機器の模式図である。
図において、１０１は電子機器本体、１０２は保護カバー、１０３は入力表示部、１０４は案内溝、１０５は軸、１０６は操作ボタン、１０７はペンである。
【００２３】
次に、動作について説明する。
電子機器本体１０１は、ペン１０７により入力表示部１０３を押してデータを入力し、また、必要な情報を入力表示部１０３に表示する。更に、それとは別にスイッチなどの操作ボタンを備えている。また、入力表示部１０３を保護するために、案内溝１０４と嵌合する軸１０５を持つ保護カバー１０２を有している。使用しないときは、保護カバー１０２は閉じられており、使用時にヒンジ構造により保護カバーが開けられる。図示しないが、案内溝１０４の形を変えることで、保護カバー１０２の収納の仕方が異なるものもある。
【００２４】
【発明が解決しようとする課題】
従来の携帯情報端末装置は、以上のように構成されているので、特開平５−２１１４６４号公報においては、携帯性をある程度保ちつつキーの数を増やすことが可能であり、入力操作が簡単になり、電子手帳の機能を付加することができるが、液晶ディスプレイの画面を余り大きくすることができず、表示画面の見易さに課題があった。また、電子手帳の各機能及び各データは、順送りで検索することになり、所望するデータを即時に検索して取得することができないといった使い勝手に課題があった。
【００２５】
また、特開平６−２８４０６７号公報においては、液晶ディスプレイの画面を大きくし、キーの数を増やすことが可能であるが、蓋を開いた状態で（ワードプロセッサ、パーソナルコンピュータとして）使用する時、片手に持って操作するには不便であり、携帯性に課題があった。また、手動的にダイヤルする場合、蓋を開いたり閉じたりしなければならないといった使い勝手に課題があった。
【００２６】
更に、両者に共通した課題として、蓋を開いた状態では電話を掛けることができず、電話中に蓋を開いた場合、所望する画面が現れないといった使い勝手に課題があった。また、携帯電話の携帯性を、ある程度保持しつつ文字入力操作等を伴うコンピュータ・電子手帳機能を実現しているが、電話操作のためのキーと文字入力操作のためのキーが別個に必要となる構造であったため、電話以外の情報処理機能を追加・拡張していく場合に物理的なキーの数を増やしていかねばならず、携帯情報端末装置を高機能化していく上では、コストとサイズの両方の点から問題があった。
【００２７】
また、従来の電子機器の保護カバーは、以上のように構成されているので、片手での開閉操作がしにくいという問題があった。また、ペン入力時にスイッチを誤って押してしまうという問題があった。また、開閉構造が複雑になり、壊れやすく、部品点数が増えるという問題があった。また、開閉部分の幅が増加し、持ちにくいという問題があった。また、カバーが開いた状態のとき、カバーがじゃまになるという問題があった。
以上のように、従来の電子機器の保護カバーは、操作性や耐久性に問題があった。
【００２８】
この発明は、上記のような課題を解決するためになされたもので、蓋の開閉状態に関わらず電話を掛けることができる携帯情報端末装置を得ることを目的とする。また、電話中に蓋の開閉が容易にできる携帯情報端末装置を得ることを目的とする。また、電話中に電子手帳・ワードプロセッサ・パーソナルコンピュータ等の機能が容易に利用できる携帯情報端末装置を得ることを目的とする。また、見易さ・操作上使い勝手が良く携帯性に優れる携帯情報端末装置を得ることを目的とする。また、情報処理機能を物理的なキーの増加を伴わないで拡張していくことができ、更に、電話の通話中に情報処理機能及びデータ通信機能を有効に使用することができる携帯情報端末装置を得ることを目的とする。
【００２９】
また、この発明は、上記のような問題点を解消するためになされたもので、携帯用電子機器において、入力表示部の保護カバーの操作性と耐久性を向上させることを目的とする。
【００３０】
【課題を解決するための手段】
この発明に係る携帯情報端末装置は、携帯情報端末装置の表面の一部を覆い当該情報端末装置の表面をスライドして移動する蓋を備えることを特徴とする。
【００３１】
上記携帯情報端末装置は、更に、上記携帯情報端末装置の表面の一部に情報を表示する表示領域を有する表示手段と上記蓋の位置を検出する位置検出手段とを備え、上記位置検出手段により検出された蓋の位置により、上記表示手段の表示領域の情報表示可能な表示領域を変更するとともに、表示する情報の向きを変更する表示切替手段を備えることを特徴とする。
【００３２】
この発明に係る携帯情報端末装置は、アプリケーション画面を表示する表示手段を備え、電話機として使用する電話機モードと情報端末装置として使用する情報端末モードとを備え、上記情報端末モードにおいて複数のアプリケーションの中からいずれかのアプリケーションを実行し、上記複数のアプリケーションはそれぞれのアプリケーションに対応する１以上のアプリケーション画面を有し、１以上のアプリケーション画面の中から１つのアプリケーション画面を上記表示手段に表示し、
電話機モードから情報端末モードに移行する場合、複数のアプリケーションのアプリケーション画面の中から移行画面候補を選択し、移行画面候補の中から表示するアプリケーション画面を決定する移行画面決定手段を備えることを特徴とする。
【００３３】
上記携帯情報端末装置は、更に、電話機モードの使用状態に対応して移行条件と移行画面を設定した遷移表を備え、上記移行画面決定手段は上記遷移表に基づき移行画面を決定することを特徴とする。
【００３４】
上記携帯情報端末装置は、更に、電話機モードの使用状態に対し移行画面をユーザ情報として任意に設定できるユーザ情報設定手段を有し、移行画面を上記ユーザ情報設定手段により設定されたユーザ情報に基づき設定し、ユーザ情報として設定されている移行画面を検索し、移行先を決定するための移行画面候補とすることを特徴とする。
【００３５】
上記携帯情報端末装置は、更に、電話機モードの使用状態と移行画面の履歴を格納する履歴情報格納手段を有し、移行画面を上記履歴情報格納手段により格納された履歴情報に基づき設定し、履歴情報に格納されている移行画面を検索し移行先を決定するための移行画面候補とすることを特徴とする。
【００３６】
上記携帯情報端末装置は、更に、電話機モードにおいて通話中に情報端末モードに移行することができ、少なくとも通話中に移行した移行画面を含んだ電話機モードの通話ログ情報を格納する通話ログ情報格納手段を有し、移行画面を通話ログ情報に基づき設定し、通話ログ情報に基づく移行画面を移行画面候補とすることを特徴とする。
【００３７】
上記携帯情報端末装置は、情報端末モードから電話機モードに移行する場合、情報端末モードにおいて得られたデータを、電話機モードで利用するデータとすることを特徴とする。
【００３８】
上記携帯情報端末装置は、情報端末モードの場合、アプリケーション間の移行が可能であり、少なくとも移行元のアプリケーション画面で使用されていたデータとそのデータに関連するデータのいずれかを移行先のアプリケーションで使用するデータとして移行先のアプリケーション画面に表示することを特徴とする。
【００３９】
上記携帯情報端末装置は、蓋を備え、上記蓋の位置に関わらず少なくとも電話機モードとして用いることを特徴とする。
【００４０】
上記通話ログ情報格納手段は、更に、通話中に移行した移行画面で使用していたデータを通話ログ情報として格納し、通話ログ情報に格納された移行画面を表示する場合、上記データを移行画面に出力することを特徴とする。
【００４１】
上記情報端末モードにおけるアプリケーションの中に予約アプリケーションが存在し、予約アプリケーションのアプリケーション画面は予約に必要な情報を入力する入力画面であるとともに、上記入力した情報を送信することを特徴とする。
【００４２】
上記携帯情報端末装置は、更に、電話機モードにおいて音声出力器と電話用キーボードとを備え、情報端末モードにおいて入出力可能なアプリケーション画面を備え、
電話機モードにおいて、通信相手からの入力要求を上記音声出力器への音声出力と上記表示手段への情報表示とのいずれかにより行い、通信相手への応答を上記電話用キーボードから入力し、
情報端末モードにおいて、通信相手からの入力要求を上記アプリケーション画面に出力し、通信相手への応答を上記アプリケーション画面から入力し、
同一のアプリケーションを電話機モードと情報端末モードとのどちらからでも実行可能であることを特徴とする。
【００４３】
上記携帯情報端末装置は、更に、電話機モードにおいて表示手段を備え、情報端末モードから電話機モードに移行する場合、上記表示手段に表示する情報を取捨選択し表示することを特徴とする。
【００４４】
上記携帯情報端末装置は、更に、電話機モードにおいて入力のための電話用キーボードと表示手段とを備え、情報端末モードにおけるアプリケーションの機能を限定して実行することと上記表示手段に表示する情報を取捨選択し表示することとのいずれかを実行するを特徴とする。
【００４５】
この発明に係る携帯情報端末装置は、タッチスクリーンを有する表示画面と、表示画面の部分に表示窓及びスイッチボタンを有する扉と、扉の開閉を検出する扉開閉検出手段と、扉が閉じて電話として使用する場合のユーザインタフェースを制御する第１のソフトウェア・モジュールと、扉が開いて情報処理機能等を使用する場合のユーザインタフェースを制御する第２のソフトウェア・モジュールとを備えたことを特徴とする。
【００４６】
上記第１のソフトウェア・モジュール及び第２のソフトウェア・モジュールは、電話操作に係る情報を共有データとすることを特徴とする。
【００４７】
上記携帯情報端末装置は、更に、電話操作に係る情報を管理する専用の第３のソフトウェア・モジュールを設け、第３のソフトウェア・モジュールが共有データにアクセスするための関数を提供することを特徴とする。
【００４８】
上記携帯情報端末装置は、扉を閉じた状態では、テンキー等のスイッチボタンにより携帯電話と同じ操作方法で電話機能が使用できることを特徴とする。
【００４９】
上記携帯情報端末装置は、扉を閉じた状態では、本体を縦にした場合に見やすい方向で前記扉の表示窓の位置に文字・絵文字を表示することを特徴とする。
【００５０】
上記携帯情報端末装置は、扉を閉じた状態では、扉のスイッチボタンを押下することで下面に位置するタッチスクリーンをタッチ可能な構成とすると共に、タッチ入力を前記扉のスイッチボタンにマッピングさせることを特徴とする。
【００５１】
上記携帯情報端末装置は、扉を開いた状態では、タッチスクリーンに直接タッチ可能な構成とすると共に、表示画面を使用したグラフィックユーザインタフェース（ＧＵＩ）で個人管理情報機能、電話及びデータ通信機能を使用可能なことを特徴とする。
【００５２】
上記携帯情報端末装置は、扉を開いた状態では、本体を横にした場合に見やすい方向で表示画面に文字・絵文字を表示することを特徴とする。
【００５３】
上記携帯情報端末装置は、扉を開いた状態では、タッチ入力をグラフィックユーザインタフェース（ＧＵＩ）にマッピングすることを特徴とする。
【００５４】
上記携帯情報端末装置は、扉を閉じた状態から扉を開けた場合は、使用者の耳と口を本体から離して使用できるようにマイク入力の感度とスピーカ出力を調整してハンズフリーで使用可能なことを特徴とする。
【００５５】
上記携帯情報端末装置は、制御部が音声信号切替部にマイクから無線部への経路を一時遮断するよう指示し、モデム部から無線部への経路を有効にして、電話に使用していた回線をモデム側に切り替えることにより、ハンズフリー通話中に通話を中断して個人管理機能を使用して作成した情報等を含むデータのデータ通信を行い、データ通信終了後前記通話を再開することを特徴とする。
【００５６】
この発明に係る携帯用電子機器は、
情報の入力と情報の表示とを行う入力表示部と、
スイッチを配置したキーパネルと、
入力表示部とキーパネルとを同一の配置面に配置した本体と、
本体の配置面に沿ってスライド可能に取り付けられ、入力表示部を開閉するスライドカバーと
を備えたことを特徴とする。
【００５７】
この発明に係る携帯用電子機器のスライドカバーは、入力表示部とキーパネルとの一方を選択的に切り替え使用できるようするとともに、他方をカバーすることにより保護することを特徴とする。
【００５８】
この発明に係る携帯用電子機器の本体は、スライドカバーをスライドさせるレール部を備えたことを特徴とする。
【００５９】
この発明に係る携帯用電子機器の配置面は、スライドカバーの内面を支持するための支持突起部を備えたことを特徴とする。
【００６０】
この発明に係る携帯用電子機器のレール部は、スライドカバーの開閉状態を検知するスイッチを備えたことを特徴とする。
【００６１】
この発明に係る携帯用電子機器のスライドカバーは、スライドカバーが入力表示部を覆う場合でも、入力表示部の一部を表示する切り欠き部を備えたことを特徴とする。
【００６２】
この発明に係る携帯用電子機器のスライドカバーは、透明部を備えたことを特徴とする。
【００６３】
この発明に係る携帯用電子機器のスライドカバーとレール部とは、スライドカバーを開及び閉の位置にて保持できる開閉保持突起部を備えたことを特徴とする。
【００６４】
この発明に係る携帯用電子機器のレール部は、スライドカバーの脱落を防止する脱落防止突起部を備えたことを特徴とする。
【００６５】
この発明に係る携帯用電子機器のスライドカバーは、表面にスライド操作を行いやすくする凹凸部を備えたことを特徴とする。
【００６６】
この発明に係る携帯用電子機器のスライドカバーは、レール部と接する部分にスライドカバーを滑らかにスライドさせるためのスライド動作補助突起部を備えたことを特徴とする。
【００６７】
【発明の実施の形態】
実施の形態１．
以下、この発明に係る携帯情報端末装置における実施の形態１を図について説明する。まず、本発明に係る携帯情報端末装置の機構的な構成について、図１及び図２を用いて説明する。
図１及び図２は、本発明に係る携帯情報端末装置の外観を示す平面図である。図１及び図２において、２０はタッチスクリーンであり、ペン（図示せず）又は指先で触れることによって、その座標を入力することができる透明なタブレットである。なお、従来例で説明した構成要素と同一部分又は相当部分は、同じ符号番号で示し、説明は省略する。
【００６８】
タッチスクリーン２０は、液晶ディスプレイ４の上に貼付してあり、表示操作一体型の入出力装置（ここでは、液晶タブレットと呼称する）を構成している。この実施の形態の携帯情報端末装置では、蓋７が図１及び図２に示した図面上を平面に沿って上下に移動（スライド）する。図１は、蓋７が最上位にある場合を示し、図２は、蓋７が最下位にある場合を示している。従来の携帯情報端末装置との対比で、図１の場合を蓋を閉じた状態（蓋閉状態）、図２の場合を蓋を開いた状態（蓋開状態）と呼ぶことにする。
蓋７の位置を検出する位置検出手段として、カバースイッチ９を用いる。カバースイッチ９は、蓋７の開閉状態を検出し、蓋閉状態ならば、電話機モードとなる。蓋開状態ならば、情報端末モードとなり、情報端末装置として使用する。
【００６９】
蓋を閉じた状態（図１）では、機構上携帯電話の外観をしており、電話用キーボード６は使用することができるが、液晶ディスプレイ４は下部だけが露出し、露出した部分だけを使用できる構造になっている。一方、蓋を開いた状態（図２）では、液晶ディスプレイ４の全体が露出するが、電話用キーボード６は隠されて使用できない構造となっている。この状態では、通常９０°回転し、図２に示した図面上、右側を手前にして用いる。
【００７０】
これにより、電話中であっても携帯情報端末装置本体１を持った手で蓋７をスライドすることによって、容易に蓋を開くことができる。また、蓋を開いた状態では、左手で携帯情報端末装置本体１のマイク５側を持ち、右手でペン（図示せず）を持ち又は右手の指先でタッチスクリーン２０にタッチすることによってデータ入力、メニュー選択等を容易にすることができる。また、画面が横長状態となるので、ユーザインタフェース上、画面が見易くなる。
【００７１】
次に、本発明に係る携帯情報端末装置の電気的な構成について、図３を用いて説明する。
図３において、２１はプロセッサ、２２はオーディオプロセッサ、２３は無線送受信部、２４はリードオンリーメモリＲＯＭ、２５はランダムアクセスメモリＲＡＭ、２６は電源である。これらの部品は、全て携帯情報端末装置本体１の中に内蔵されている。
【００７２】
プロセッサ２１は、デジタルデータを扱い、電子手帳・ワードプロセッサ・パーソナルコンピュータ等の機能を実行する外、液晶ディスプレイ４やタッチスクリーン２０や電話用キーボード６の入出力制御や、カバースイッチ９から送られてくる蓋の開閉信号による制御を行う。このプロセッサにより実行されるプログラムは、ＲＯＭ２４の中に記憶されており、様々なアプリケーションの書換可能なデータは、ＲＡＭ２５の中に保持される。なお、誤動作防止のため、プロセッサ２１は、蓋閉状態ではタッチスクリーン２０の動作を停止し、蓋開状態では電話用キーボード６の動作を停止する。
【００７３】
オーディオプロセッサ２２は、アナログデータを扱い、電話機能のスピーカ３及びマイク５の入出力制御を行う。また、無線送受信部２３は、高周波の変復調等携帯電話の無線に係る処理を行う。更に、電源２６は、プロセッサ２１やオーディオプロセッサ２２等に電源を供給する。
【００７４】
次に、本発明に係る携帯情報端末装置の蓋閉状態の動作について、特にユーザインタフェースを中心に図４及び図５を用いて説明する。
図４及び図５は、液晶ディスプレイ４に表示される画面の例を示す図であり、それぞれ、従来の携帯情報端末装置の画面の例を示す図６１及び図６３に対応する。
図４及び図５に示した画面の例は、図１に示した本発明に係る携帯情報端末装置の外観の平面図の右側を下側にした場合の画面の例である。
【００７５】
本発明に係る携帯情報端末装置と従来の携帯情報端末装置との表示上の違いは、内容が画面左側に９０°回転して表示される点にある。蓋が閉じた状態の場合、図１に示した蓋７が液晶ディスプレイ４の上側を覆うので、図４及び図５に示す液晶ディスプレイ４の右側が使えない。また、蓋開状態で使う場合を基準にすると９０°回転した画面となる。蓋７の位置を検出するカバースイッチ９の出力に基づいて、表示切替手段（図示せず）が液晶ディスプレイ４の表示可能な領域を図１に示す領域に限定し、表示する文字と記号の９０°回転処理を行う。例えば、この９０°回転処理は、ＲＯＭ２４に記憶された文字フォントを読出し、プロセッサ２１で回転処理をして液晶ディスプレイ４に表示する。なお、蓋閉状態では、タッチスクリーン２０は、スリープ又はデッドの状態にあり、ペン又は指でタッチしても反応しない。
【００７６】
次に、本発明に係る携帯情報端末装置の蓋開状態の動作について、特にユーザインタフェースを中心に図６から図１２までの図を用いて説明する。
図６から図１２までの図は、液晶ディスプレイ４に表示されるアプリケーション画面（以下、画面ともいう）の例を示す図である。
図６は、住所録の氏名リストを表示した画面の例を示す図、図７は、住所録の詳細情報を表示した画面の例を示す図、図８は、スケジュール帳の月カレンダを表示した画面の例を示す図、図９は、スケジュール帳の詳細情報を表示した画面の例を示す図、図１０は、メモ帳を表示した画面の例を示す図、図１１は、通話ログを表示した画面の例を示す図、図１２は、蓋開状態で電話を掛ける場合の電話を表示した画面を示す図である。
【００７７】
まず、図６について説明する。
液晶ディスプレイ４の表示画面は、内容領域２７、タグ領域２８、スクロール領域２９、メニュー領域３０の大きくは４つの領域から構成される。内容領域２７は、指示された様々な情報を表示するとともに、ユーザが表示内容から所望する情報を選択したり、情報を入力することができる。図６の例では、住所録の氏名リストが表示されており、ユーザはその中から「松浦次郎」を選択している。
【００７８】
タグ領域２８は、内容領域２７に表示された情報に関連するタグを表示する。表示されたタグを選択することによって、対応するインデックスの先頭のデータを内容領域２７に表示する。図６に示した例では、「氏名リスト」を表示しているため、タグには五十音の「あ」列及びアルファベットの先頭の４文字が表示されている。この例では、アルファベットの「Ｄ」迄が表示されているが、「Ｅ」以降のアルファベットを選択したい場合は、画面右下に存在するタグ領域２８のスクロールボタン「▽」をタッチすることにより、タグの表示が上方向に順次シフトする。この例において、「ま」をタッチして選択した場合は、内容領域２７の氏名リストの先頭に例えば「前川花子」が表示される。
【００７９】
スクロール領域２９は、内容領域２７に表示されたデータの近傍のデータを見たい場合に使用する。例えば、データが内容領域２７に一度に表示しきれない場合、次頁を見たい場合等に使用する。スクロール領域２９内の上下にあるスクロールボタン「△」「▽」をタッチすることにより、画面の上下で隠されている情報を見ることができる。
【００８０】
メニュー領域３０は、機能レベルのメニューを表示する。所望するメニューをタッチして選択すると、そのメニューに移行し、データが内容領域２７に表示される。図６に示した例では、内容領域２７に表示されているデータは、メニュー領域３０の「住所録」を選択することにより得られたものである。メニュー領域３０に表示されるメニューは、場合によっては一部変更され、メニューに階層がある場合でも移行し易くなっている。一方で、基本的な機能レベルのメニューは常に表示され、どの段階でも常にどの基本メニューにも移行できるようになっている。この例での基本メニューは、「通話ログ」「メモ帳」「スケジュール帳」「住所録」「電話」の５個である。
【００８１】
次に、図７について説明する。
図６に示すように、住所録の「氏名リスト」が内容領域２７に表示された状態で、内容領域２７に表示された「松浦次郎」を２回（ダブル）タッチするか、内容領域２７に表示された「松浦次郎」をタッチした後、更に、メニュー領域３０に表示された「詳細情報」をタッチした場合、図７に示すように、内容領域２７は住所録の「詳細情報」の画面に移行し、内容領域２７には、氏名「松浦次郎」に対応する「自宅住所」「自宅電話」「自宅ＦＡＸ」「勤務先名称」「部署・役職」「勤務先住所」「勤務先電話」「勤務先ＦＡＸ」等が表示される。ここで、例えば、「自宅電話」をダブルタッチすれば、後述する「電話」のメニューに移行し、「Ｓ」ボタンをタッチすると、電話を掛けることができる。また、この段階で、メニュー領域３０に表示された「氏名リスト」をタッチすれば、図６に示した状態（画面）に戻ることができる。
【００８２】
次に、図８について説明する。
メニュー領域３０の「スケジュール帳」をタッチすると、図８に示すように、「月カレンダ」の画面に移行し、内容領域２７には今月のカレンダが表示される。スケジュール帳では日付が検索キーとなるため、タグ領域２８には、例えば、「月」が表示される。この場合も前述の住所録の場合と同様に、タグ領域２８のスクロールボタン「△」又は「▽」をタッチすることにより所望する月をタグに表示させ、そのタグをタッチすることによって所望する月に移行し、所望する月のカレンダを内容領域２７に表示させることができる。
【００８３】
次に、図９について説明する。
図８に示すように、スケジュール帳の「月カレンダ」が内容領域２７に表示された状態で、内容領域２７に表示された「１９９６年１月」カレンダの「１６」日をダブルタッチするか、内容領域２７に表示された「１６」日をタッチした後、更に、メニュー領域３０に表示された「詳細情報」をタッチした場合、図９に示すように、内容領域２７は、スケジュール帳の「詳細情報」の画面に移行し、内容領域２７には「１６」日に対応する時間帯別のスケジュール表（バー）が内容領域２７の上部に表示される。ここで、内容領域２７のスケジュール表に表示された「課長会議」をタッチすると、内容領域２７の下部に「課長会議」に対応する詳細情報である「メモ」が表示される。また、この段階で、メニュー領域３０に表示された「月カレンダ」をタッチすれば、図８に示した状態（画面）に戻ることができる。
【００８４】
次に、図１０について説明する。
メニュー領域３０の「メモ帳」をタッチすると、図１０に示すように、「メモ帳」の画面に移行し、内容領域２７には、ワードプロセッサが持つ各種機能（編集コマンド等）が表示されるとともに、文字を入力することができる。文字の入力は、内容領域２７に表示された「キーボード」をタッチすることによってスクリーンキーボードを表示し、スクリーンキーボードから文字を入力することができる。また、「ペン」をタッチし、手書き文字又は線図形を入力することができる。更に、入力した線図形を文字認識し、文字コードに変換することができる。また、入力済文字の削除、任意箇所への文字挿入、任意の文字列の複製、切取り、貼付け等ワードプロセッサの基本的な編集機能を使用することができる。
【００８５】
また、文字だけではなく、マイク５から音声を入力し、ボイスメモ３１としてメモ帳に貼付けることができる。貼付けたボイスメモ３１をタッチすることによって録音したボイスメモ３１を再生することができる。
【００８６】
この場合のタグ領域２８には、左側に「通話ログ」「スケジュール」「住所録」「メモ帳」等のメニューが、右側にスケジュール帳の日付が表示されている。右側のタグの表示は、移行元のメニューによって異なる。このケースは、図９に示したスケジュール帳から移行してきた場合を示している。タグ領域２８の右側に表示されたタグの１つ（例えば、「１７」日）にダブルタッチすることにより、一度スケジュール帳に戻らなくとも、その日付（１９９６年１月１７日）のスケジュール帳のメモに移行することができる。
【００８７】
一方、タグ領域２８の左側のタグは、移行元画面を移行先画面にリンクさせる場合に使用するものである。例えば、図１０に示したメモ帳の画面でタグ領域２８の「スケジュール帳」をタッチした場合は、ここに記載された文書データは、「スケジュール帳」の１９９６年１月１６日にリンクされる。図１０において、例えば、タグ領域２８の「１７」日をタッチした後、タグ領域２８の「スケジュール帳」をタッチした場合は、ここに記載された文書データは、「スケジュール帳」の１９９６年１月１７日にリンクされる。なお、メニュー領域３０のメニューをタッチした場合は、移行元画面と移行先画面はリンクされない。
【００８８】
次に、図１１について説明する。
メニュー領域３０の「通話ログ」をタッチすると、図１１に示すように、「通話ログ」の画面に移行し、内容領域２７には、日時、通話相手先等が表示される。図１１の内容領域２７において、「□］はＦＡＸ送信、「黒塗りの□」はＦＡＸ受信、「○」は電話発信、「●」は電話受信、「△」はメール送信、「黒塗りの△」はメール受信を表す。また、「メ」、「ス」、「住」は、それぞれ、その通話に対応するメモ帳、スケジュール帳、住所録が存在することを示している。この「メ」「ス」「住」をタッチすることにより、その通話に対応する各画面に移行することができる。
【００８９】
この場合のタグ領域２８には、左側に日付のタグ、右側にメニューのタグが表示される。左側の日付のタグの１つをタッチした場合は、タッチした日付に対応した通話ログの先頭から１頁分が内容領域２７に表示される。一方、右側のメニューのタグの１つ（例えば、「メモ帳」）をタッチした場合は、対応するメニュー（この場合は、「メモ帳」）の画面に移行するとともに、移行後の画面（この場合は「メモ帳」）は、移行元で選択されている「通話ログ」に対応付けられる。
【００９０】
次に、図１２について説明する。
メニュー領域３０の「電話」をタッチすると、図１２に示すように、「電話」の画面に移行し、内容領域２７には電話機が表示されるとともに、電話を掛けることができる。図７に示した住所録の画面で自宅電話をダブルタッチした場合や、図１１に示した通話ログの画面で電話に係るログをダブルタッチした場合は、この電話画面に移行する。この場合は、通話番号表示窓３２に移行元の電話番号が表示され、発信ボタン「Ｓ」をタッチするだけで、電話を掛けることができる。
【００９１】
また、図１２に示した「電話」の画面で数字ボタンをタッチすることによって手動的に電話番号を入力し、発信ボタン「Ｓ」をタッチすることにより電話を掛けることもできる。更に、通常の電話と同様に、リダイヤル、スピードダイヤル、ワンタッチダイヤルの機能も備え、それぞれ、当該ボタンをタッチすることにより、簡単に電話を掛けることができる。図１２に示すように、蓋開状態では、リダイヤルやワンタッチダイヤルに現在どのような番号及び相手先が登録されているかをビジュアルに表示することができるので、使い勝手が良い判り易いユーザインタフェースを提供することができる。
【００９２】
また、スピードダイヤルでは、タグ領域２８に表示されたタグをタッチすることによって、その番号に登録されている電話番号及び相手先が表示される。図１２に示した例では、左側のタグ領域２８に表示されたタグ「２１」をタッチした場合に、内容領域２７に表示される画面を示しており、「スピードダイヤル」ボタンの右横にメモリの２１番目に記憶された電話番号「（０３）９９９９−９９９９」と相手先「飛鳥」が表示されている。タグ領域２８のタグに表示されていない番号を選択したい場合は、タグ領域２８中に存在するスクロールボタン「△」「▽」をタッチすることによって表示させることができる。なお、タグ領域２８の右側に表示されたメニューのタグについては、図１１に示した通話ログで説明した場合と同様である。
【００９３】
次に、図１３を用いて、電話機モード（蓋閉状態）から蓋開状態に移行した場合の移行画面について説明する。
電話機モード（蓋閉状態）では、例えば、スタンバイ中３３、ダイヤル中３４、通話中３５、電話帳操作中３６の４つの状態が考えられる。一方、蓋開状態に移行した場合の移行画面としては、例えば、電話３７、通話ログ３８、メモ帳３９、スケジュール帳４０、住所録４１が考えられる。
【００９４】
例えば、スタンバイ中３３状態で蓋を開いた場合、ユーザが使用したい画面として、通話ログ３８、メモ帳３９、スケジュール帳４０、住所録４１の可能性がある。スタンバイ中３３状態であるから、直ちに電話３７に移行することはまず無い。また、ダイヤル中３４状態で蓋を開いた場合は、ユーザが使用したい画面として、電話３７、通話ログ３８、住所録４１の可能性がある。ダイヤル中３４状態であるから、直ちにメモ帳３９やスケジュール帳４０に移行することはまず無い。また、通話中３５状態で蓋を開いた場合は、ユーザが使用したい画面として、メモ帳３９、スケジュール帳４０、住所録４１の可能性がある。通話中３５状態であるから、直ちに電話３７や通話ログ３８に移行することはまず無い。更に、電話帳操作中３６状態で蓋を開いた場合は、ユーザが使用したい画面は住所録４１に限られる。
【００９５】
このように、蓋を開いた場合、移行画面はある程度限られているので、移行画面を自動的に決定することができる。これにより、タッチ操作の回数を減少させて使い勝手を良くするとともに、画面移行に係る時間を短縮させることによって、通話中３５状態の操作の場合は通話料を減少させることもできる。
【００９６】
次に、図１３で示した各電話状態における複数の移行画面の可能性から１つの移行画面を決定する方法について説明する。
【００９７】
図１４は、ＲＯＭ２４に格納された蓋開時の移行画面の遷移表４２の例を示したものである。
遷移表４２には、電話状態４３、蓋開状態になった時の移行画面４５、その画面に移行するための移行条件４４が記載されている。移行条件４４としては、例えば、ユーザ設定の有無、履歴設定の有無、対応する通話ログ３８の有無がある。ユーザ設定の有無とは、電話機モードから情報端末モードに移行する場合、電話機モードの使用状態に対し、移行画面をユーザがユーザ情報として設定したか否かを示すものである。履歴設定の有無とは、電話機モードから情報端末モードに移行する時の電話機モードの使用状態と移行画面の履歴を格納しているか否かを示すものである。通話ログ３８の有無とは、電話機モードにおいて、通話中に情報端末モードであるメモ帳、スケジュール帳、住所録の画面に移行することができ、通話中に移行したこれらの移行画面を含んだ電話機の通話ログ情報を格納しているか否かを示すものである。なお、遷移表４２の各欄の値は、説明上言葉で表現しているが、実際にはコード化されている。
遷移表４２に設定される電話状態４３、移行条件４４、移行画面４５は、ユーザがその値を設定、解除、更新することができる。また、この例では、遷移表４２は、ＲＡＭ２５に格納されている。
【００９８】
ユーザ情報設定手段（図示せず）が、ユーザ情報をＲＡＭ２５に格納する。ユーザは、ユーザ情報を設定、解除、更新することができる。
図１５は、ＲＡＭ２５に格納されたユーザ情報の例を示したものである。図１５の例では、ユーザ情報４６は、電話状態４７の各状態に対して移行画面４８を設定できるようになっている。ユーザが移行画面４８を設定していない場合は、例えば、「−」が格納されている。なお、ユーザ情報４６の各欄の値は、説明上言葉で表現しているが、実際にはコード化されている。
【００９９】
また、履歴情報格納手段（図示せず）が、履歴情報をＲＡＭ２５に格納する。履歴情報格納手段は、履歴情報を格納すると設定された場合に限り、履歴情報を自動的に獲得し、ＲＡＭ２５格納するようにしても良い。履歴情報格納手段は、例えば、プロセッサ２１がＲＡＭ２５からロードし、実行するプログラムで実現してもよい。又は、履歴情報を獲得し、ＲＡＭ２５に格納する動作をするハードウェアで実現しても良いし、ファームウェアで実現しても良い。
図１６は、ＲＡＭ２５に格納された履歴情報の例を示したものである。図１６に示した例では、履歴情報４９は、履歴番号５０、電話状態５１、遷移方向５２、画面５３の各項目から構成される。履歴情報４９は、履歴番号５０の小さい方から順次格納され、所定の格納領域を越える場合は、古い方（履歴番号５０の小さい方）から順次消去される。
【０１００】
次に、図１６を用いて、履歴情報４９の格納方法を説明する。
図１６の例では、先ず履歴番号５０「１」の電話状態５１の欄に蓋閉状態での最後の状態が格納される。この例では、「スタンバイ中３３」が格納されている。次に、蓋を開いた時点で、履歴番号５０「１」の遷移方向５２の欄に「→」が格納される。更に、蓋を開いて最初に移行した画面が履歴番号５０「１」の画面５３の欄に格納される。この例では、「メモ帳３９」が格納されている。その後、蓋開状態で様々な画面に移行しても履歴情報４９には格納されず、蓋を閉じる直前の画面が履歴番号５０「２」の画面５３の欄に格納される。この例では、「通話ログ３８」が格納されている。
【０１０１】
次に、蓋を閉じた時点で、履歴番号５０「２」の遷移方向５２の欄に「←」が格納される。更に、蓋を閉じて最初に移行した電話状態が履歴番号５０「２」の電話状態５１の欄に格納される。この例では、「通話中３５」が格納されている。その後、蓋閉状態で様々な状態に移行しても履歴情報４９には格納されず、蓋を開く直前の状態が履歴番号５０「３」の電話状態５１の欄に格納される。この例では、「スタンバイ中３３」が格納されている。以降、同様の手続きで履歴情報４９が順次格納されていく。
【０１０２】
以上の手続きから判るように、履歴情報は、履歴番号５０の連続する奇数と偶数の対が１つのブロックとなっている。例えば、履歴番号５０の「１」と「２」が１つのブロックを構成している。遷移方向５２の欄は、説明上追加したものであり、実際は不要である。また、履歴情報４９の各欄の値は、説明上言葉で表現しているが、実際にはコード化されている。更に、蓋閉状態又は蓋開状態に移行した時点で直前の画面又は状態を格納する手続きは、実際には画面又は状態が変化する度に該当欄に上書きすることにより実現する。
【０１０３】
また、通話ログ情報格納手段（図示せず）が、自動的に通話ログ３８を獲得し、ＲＡＭ２５に格納する。
図１７は、ＲＡＭ２５に格納された通話ログ３８の例を示したものである。図１７に示した例では、通話ログ情報５４は、通話種別５５、通話日時５６、通話番号５７、相手先５８、ユーザが移行画面において操作して得られたデータを格納した先頭番地へのポインタ５９，６１，６３、移行画面の種類６０，６２，６４の各項目から構成される。図１７では、スペースの都合でこれらの項目名称を略記している。また、図１７に示した各欄の値は、図１１に示した「通話ログ」の画面に対応したものである。なお、通話ログ情報５４の各欄の値は、説明上言葉で表現しているが、実際にはコード化されている。
【０１０４】
次に、図１７を用いて、通話ログ情報５４の格納方法を説明する。
蓋閉状態か蓋開状態かに拘わらず、通話があった場合は、通話ログ情報５４に通話種別５５、通話日時５６、通話番号５７、相手先５８が次の行の該当欄に格納される。次に、ユーザが操作して又はシステムが自動的に画面を移行した時、その画面の種類を当該行の移行画面の種類６０欄に格納するとともに、ユーザがその画面で操作して得られたデータが格納された先頭番地が当該行のポインタ５９欄に格納される。更に、ユーザが画面の種類を変更して移行した場合は、当該画面の種類が当該行の移行画面の種類６２欄に、当該データの先頭番地が当該行のポインタ６１欄に、それぞれ格納される。図１７の例では、最大３個で３種類迄格納することができる。この例では、４種類以上移行した場合は、４種類目以降は通話ログ情報５４に格納しない。
【０１０５】
図１８は、電話機モードから情報端末モードに移行する場合の移行画面を決定する処理の流れの概要を示したフローチャート図である。
次に、図１５から図１８までの図を参照し乍ら、図１４に示した遷移表４２を用いて１つの移行画面を決定する手続きについて説明する。
ステップＳ１０１において、遷移表４２を走査し、現在の電話状態４３に対する移行条件４４を獲得する。ステップＳ１０２において、移行条件４４で参照する情報を調べる。遷移表４２の移行条件４４がユーザ情報である場合は、ステップＳ１０３へ進む。ステップＳ１０３において、ユーザ情報４６を走査する。ステップＳ１０２において、遷移表４２の移行条件４４が通話ログ情報有りとなっている場合は、ステップＳ１０４において、通話ログ情報５４を走査する。ステップＳ１０２において、遷移表４２に移行条件４４が履歴設定有りとなっている場合は、ステップＳ１０５において、履歴情報４９を走査する。ステップＳ１０３，ステップＳ１０４，ステップＳ１０５の処理の次に、ステップＳ１０７において、移行画面が特定できたか否か調べ、成功であれば、ステップＳ１０８の処理へ進む。ステップＳ１０８において、画面移行処理を行う。即ち、蓋閉状態から蓋開状態へ移行した時に表示する移行画面を、液晶ディスプレイ４に表示する。これで処理を終了する。ステップＳ１０７において、移行画面が特定できたか否か調べ、失敗した場合は、ステップＳ１０１の処理へ戻り、以上の処理を繰り返す。
次に、図１５から図１８までの図を参照し、具体的に移行画面を決定する手続について説明する。
なお、電話機モードから情報端末モードに移行する場合の移行画面を決定する操作は、移行画面決定手段（図示せず）が行う。移行画面決定手段は、例えば、ＲＯＭ２４に格納されたプログラムをプロセッサ２１が実行することによって、実現しても良い。或いは、これらの機能を実現することができるハードウェア、或いは、ファームウェアで実現しても良い。
【０１０６】
先ず、蓋閉状態で電話状態４３がスタンバイ中３３であった場合を説明する。先ず、遷移表４２を走査し、電話状態４３がスタンバイ中３３である行を見つける。最初に見つかった行の移行条件４４を見る。図１４の例では、「ユーザ設定有り」となっているので、図１５に示したユーザ情報４６を走査する。図１５の例では、電話状態４７がスタンバイ中３３の場合の移行画面４８は「−」となっており、設定されていない。従って、この走査は失敗に終り、図１４に示した遷移表４２に戻る。そして、電話状態４３がスタンバイ中３３である次の行の移行条件４４を見る。図１４の例では、移行条件４４が「履歴設定有り」となっているので、図１６に示した履歴情報４９を走査する。履歴情報４９において、蓋閉状態での電話状態５１がスタンバイ中３３で、遷移方向５２が蓋開状態へ遷移するもの「→」を走査する。走査方向は、履歴番号５０の大きい方から小さい方に向かう方向である。この場合、履歴番号５０「９」は、現在の状態であるから走査しない。最初に当該条件を満たすものは、履歴番号５０「５」であり、この時の画面５３は、「スケジュール帳４０」になっているので、移行画面は、「スケジュール帳４０」と決定する。
【０１０７】
図１６の履歴情報４９を走査して画面を決定する上記とは別な方法もある。電話状態５１がスタンバイ中３３で、遷移方向５２が「→」である行の画面５３をピックアップし、出現頻度が最多の画面を移行画面として決定しても良い。図１６の例では、「メモ帳３９」の出現が２回、「スケジュール帳４０」の出現が１回であるから、この方法での移行画面は、「メモ帳３９」と決定する。この方法では、直前の移行画面を採用するのではなく、現在迄の移行で最多の移行画面を採用するので、移行画面の決定がより安定したものとなる。
【０１０８】
次に、蓋閉状態で電話状態４３が通話中３５であった場合を説明する。
先ず、遷移表４２を走査し、電話状態４３が通話中３５である行を見つける。最初に見つかった行の移行条件４４を見る。図１４の例では、「ユーザ設定有り」となっているので、図１５のユーザ情報４６を走査する。図１５の例では、電話状態４７が通話中３５の場合の移行画面４８は、「−」となっており、設定されていない。従って、この走査は失敗に終り、図１４に示した遷移表４２に戻る。そして、電話状態４３が通話中３５である次の行の移行条件４４を見る。この例では、「対応する通話ログ３８有り」となっているので、図１７に示す通話ログ情報５４を走査する。例えば、現在通話中の通話種別が電話発信で、通話番号が「（０４６７）１２−３４５６」であったと仮定すれば、通話ログ情報５４の最近のログから順次走査し、通話種別が「○」で、通話番号５７が「（０４６７）１２−３４５６」である行を見つける。図１７の例では、図中、相手先５８が「木村時計」である行を見つける。次に、当該行の移行画面の種類６０の欄が「［住］」であるから、移行画面は「住所録４１」と決定する。
【０１０９】
上記の場合、更に移行画面で表示するデータは、当該行の移行画面の種類６０「［住］」に対応するポインタ５９が指す番地「１０１２０」のデータを用いても良い。また、上記とは別の方法として、現在の通話と同じ通話番号で、通話種別の手段（「電話」「ＦＡＸ」等）が同一で、「受信」「発信」が逆のものを見つけても良い。また、手段に関係なく「受信」「発信」が逆のものを見つけても良い。また、単に現在の通話番号と同じ通話番号の最近のものを見つけても良い。いずれの場合も、前回の相手先との通話時の情報を即座に見ることができるという利点がある。前回の相手先との通話をどのように捉えるかによって、様々な方法が存在する。
【０１１０】
上記の場合、条件に合致する行が存在しない場合、存在しても当該行の移行画面の種類６０が「−」で存在しない場合は、走査は失敗に終り、図１４に示す遷移表４２に戻る。そして、電話状態４３が通話中３５である次の行の移行条件４４を見る。図１４の例では、移行条件４４が「履歴設定有り」となっているので、図１６に示す履歴情報４９を走査する。その後の手続きは、上記と同様である。なお、条件に合致する行が存在して、当該行の移行画面の種類６０が「−」で存在しない場合は、上記のように走査条件を緩めて再走査しても良い。
【０１１１】
更に、蓋閉状態で電話状態４３が電話帳操作中３６であった場合を説明する。先ず、遷移表４２を走査し、電話状態４３が電話帳操作中３６である行を見つける。最初に見つかった行の移行条件４４を見る。図１４の例では、「ユーザ設定有り」となっているので、図１５のユーザ情報４６を走査する。図１５の例では、電話状態４７が電話帳操作中３６の場合の移行画面４８は、「通話ログ３８」であるから、移行画面は、「通話ログ３８」と決定する。
【０１１２】
図１３に示した移行画面の可能性では、電話帳操作中３６の場合、住所録４１しか可能性が無いが、上記の場合は、それ以外の通話ログ３８に移行している。これは、ユーザが移行画面を設定したからである。図１３は、システム側で用意している移行画面の可能性であり、ユーザが設定した場合は、それが優先される仕組みになっている。また、いずれの移行条件にも合致しなかった場合でも、必ず移行画面が決定できる。図１４からも明らかなように、全ての移行条件に合致しなかった場合、スタンバイ中３３の場合は住所録４１に、ダイヤル中３４の場合は、電話３７、通話中３５の場合はメモ帳３９、電話帳操作中３６の場合は、住所録４１の画面にそれぞれ移行する。
なお、遷移表を介さずに移行画面をユーザ情報、履歴情報、通話ログ情報に基づき設定しても良い。この場合、ユーザ情報、履歴情報、通話ログ情報は、互いに独立して使用することができる。
【０１１３】
以上のように、この実施の形態によれば、機構上表示操作一体型の液晶タブレットを採用することによって表示画面の大きさをある程度確保した上で、操作性が向上する。また、スライド式の蓋を採用することによって電話中でも片手で蓋の開閉を容易にできるので使い勝手が良い。
また、機能上は、蓋を開いた場合でも電話を掛けることができ、蓋の開閉操作回数を減少させ、また、電話機を使用する時、ユーザの使用状況及び利用環境により、ユーザが好みの状態（蓋の開閉）を選択して使用できるので、使い勝手が良い。
また、蓋を開いた際に表示される画面を履歴情報・蓋の開閉に係わる操作状況・ユーザの設定等に合せて適合するので、操作回数を減少させるとともに所望の画面が表示される迄の待ち時間を減少させ、電話中であっても容易に電子手帳・ワードプロセッサ・パーソナルコンピュータ等の機能が利用できるので、使い勝手が良い。
また、通話ログをベースに操作の履歴情報に基づいてデータをリンクさせ、少ない操作回数で所望するデータを容易に取得できるので、使い勝手が良い。
【０１１４】
このように、蓋を開いた際に表示される移行画面を履歴情報、操作状況（例えば、電話機における通話ログ）、ユーザの設定等により決定することによって、ユーザが所望の画面を得る迄の操作回数を減少させるとともに、所望の画面が表示される迄の待ち時間を減少させることができるので、使い勝手が向上する。
【０１１５】
実施の形態２．
次に、この実施の形態に係る携帯情報端末装置を図について説明する。
まず、携帯情報端末装置の機構的な構成について、図１９及び図２０を用いて説明する。
図１９及び図２０は、携帯情報端末装置の外観を示す平面図であり、図１９は、蓋７を閉じた状態の平面図、図２０は、蓋７を開いた状態の平面図である。
図１９，図２０において、６５は窓である。窓６５は、蓋７を切抜くか、透明な部材で構成したものであり、蓋７を閉じた状態（図１９）で、窓６５の領域について、液晶ディスプレイ４の表示内容が見えるようにしたものである。
【０１１６】
この携帯情報端末装置は、蓋閉状態では、蓋７と携帯情報端末装置本体１が平面図の平面と平行な面で重ね合されており、ヒンジ１９により結合されている。蓋を開く場合は、ヒンジを中心に携帯情報端末装置本体１の裏面に蓋７が重ね合さる迄蓋７が回転する機構となっている。電話用キーボード６が蓋７側に付いているので、実施の形態１に記載した携帯情報端末装置に比べて、液晶ディスプレイ４及びタッチスクリーン２０の大きさを比較的大きくすることができるという利点があり、使い勝手が向上する。一方、蓋の開閉操作については、携帯情報端末装置を持った手で操作した場合、実施の形態１に記載したものと比べて、操作性が若干悪くなる。なお、電気的な構成については、実施の形態１で記載した図３と同一であるので、説明を省略する。
【０１１７】
次に、携帯情報端末装置の蓋閉状態の動作について、特にユーザインタフェースを中心に、図２１及び図２２を用いて説明する。
実施の形態１に記載した携帯情報端末装置との表示上の違いは、内容が画面右側に９０°回転して表示される点だけである。この理由は、図２０において、窓６５が液晶ディスプレイ４及びタッチスクリーン２０の上部にあるという機構的な理由からである。その他については、実施の形態１で説明した通りであり、説明を省略する。また、蓋開状態の動作についても、実施の形態１で説明した通りであり、説明を省略する。
【０１１８】
次に、携帯情報端末装置において、電話機モード（蓋閉状態）から情報端末モード（蓋開状態）に移行した場合の移行画面について説明する。
実施の形態１で説明したように、蓋を開いた際に表示される画面を、履歴情報、操作状況（電話状態）、ユーザの設定（ユーザ情報）等により決定しても良い。しかし、移行画面を固定化しても良い。この実施の形態では、電話機モードから情報端末モードに移行する場合の移行画面を固定化する場合について説明する。これにより、記憶量（メモリ）及び処理量（手数）を減らすことができるので、装置を簡素化（小型化）することができ、安価にできるという効果がある。
【０１１９】
例えば、移行画面を（１）常に初期画面にする、（２）常に電話３７の画面にする、（３）常にユーザの設定画面にする、（４）最近の蓋閉時点の直前の画面にする、といった移行の方法が考えられる。また、（５）ユーザの設定があった場合はそれを優先し、それ以外は上記（１），（２），（４）のいずれかの画面に移行するといった方法も考えられる。
【０１２０】
上記（１）の場合は、蓋を開く、或いは、蓋を閉じる度にシステムをリセットすること（ＲＡＭ２５上のワークエリア等不要領域の初期化又は開放とプロセッサ２１で実行するプログラムの初期化）によって実現することができる。また、上記（２）の場合は、上記（１）の処理の後、プログラムの電話画面の処理モジュールから実行させれば良い。また、上記（３）の場合は、遷移表に電話状態に拘わらず、１つの移行画面をユーザが設定する。上記（１）の処理の後、遷移表を見て遷移表に設定された移行画面に移行すれば良い。また、上記（４）の場合は、蓋の開閉に拘わらず、常にシステムの状態を保持して置けば良い。更に、上記（５）の場合は、ユーザ設定の有無を調べ、ユーザ設定があれば、上記（３）の処理を行い、ユーザ設定がなければ、（１），（２），（４）のいずれかの処理をすれば良い。
また、上記実施の形態１で述べた携帯情報端末装置でも移行画面を上述したように、固定化しても良い。
【０１２１】
実施の形態３．
実施の形態１及び２では、電話機モード（蓋閉状態）から情報端末モード（蓋開状態）に移行画面を決定する方法について説明したが、逆に、情報端末モード（蓋開状態）から電話機モード（蓋閉状態）に、移行電話状態及び表示画面に表示するデータを連携させても良い。ここでは、図２３から図２９迄の図を用いて、蓋開状態から蓋を閉じた場合の移行電話状態の決定と表示画面の作成方法について説明する。
【０１２２】
図２３は、蓋開状態の各画面から蓋を閉じた場合に移行する電話状態の可能性を示した図である。
蓋を閉じる直前の画面が電話３７画面の場合、蓋を閉じた時の電話状態としては、スタンバイ中３３、ダイヤル中３４、通話中３５の可能性がある。図１２に示した「電話」画面で、通話番号表示窓３２に数字等の文字が全く表示されていない場合、即ち、入力が全くなされていない場合は、スタンバイ中３３の状態に移行する。また、図１２に示した通話番号表示窓３２に数字等の文字が表示されており、即ち、通話番号の入力があって、発信ボタン「Ｓ」がタッチされていない場合は、ダイヤル中３４の状態に移行する。更に、図１２に示した通話番号表示窓３２に数字等の文字が表示されており、即ち、通話番号の入力があって、発信ボタン「Ｓ」がタッチされている場合は、通話中３５の状態に移行する。
【０１２３】
また、蓋を閉じる直前の画面が通話ログ３８画面の場合、蓋を閉じた時の電話状態としては、スタンバイ中３３とダイヤル中３４の可能性がある。図１１に示した「通話ログ」画面で、特定の行がタッチ又はダブルタッチされている場合、即ち、特定のログが選択されている場合は、ダイヤル中３４の状態に移行する。また、図１１に示した「通話ログ」画面で、特定の行が全くタッチされていない場合、即ち、特定のログが選択されていない場合は、スタンバイ中３３の状態に移行する。なお、ダブルタッチした後蓋を閉じなかった場合は、電話３７画面に移行する。この例では、誤った通話をしないために、ユーザに通話番号を確認して貰う意味で、通話ログ３８画面から直接、通話中３５の状態に移行することを避けている。通話中３５の状態に移行する場合は、電話３７画面に移行してから図１２に示す発信ボタン「Ｓ」をタッチするか（この場合は、蓋の開閉に拘わらず通話することができる）、蓋を閉じた後に、例えば、図１に示す発信キー「Ｓ」を押下する場合に限っている。
【０１２４】
また、蓋を閉じる直前の画面がメモ帳３９又はスケジュール帳４０画面の場合、蓋を閉じた時の電話状態としては、スタンバイ中３３に限られる。何故ならば、メモ帳３９やスケジュール帳４０の機能は、電話の機能と直接機能連携しないからである。従って、図８及び図９に示した「スケジュール帳」画面、図１０に示した「メモ帳」画面が表示されている状態で蓋を閉じた場合は、スタンバイ中３３の状態に移行する。
【０１２５】
更に、蓋を閉じる直前の画面が住所録４１画面の場合、蓋を閉じた時の電話状態としては、スタンバイ中３３、ダイヤル中３４、電話帳操作中３６の可能性がある。図６の「住所録」画面で、特定の行がタッチ又はダブルタッチされている場合、或いは、１６の「住所録」画面が表示されている場合、即ち、特定の氏名が選択されている場合は、上記の通話ログ３８画面の場合と同様に、ダイヤル中３４の状態に移行する。例えば、図６の「住所録」画面で、特定の氏名が選択されている場合は、その氏名に対する自宅電話が自動的に選択され、自宅電話が設定されていなければ勤務先電話が自動的に選択される。ここで、自宅電話と勤務先電話のどちらを優先するかは、ユーザが設定することができるようにしても良い。
【０１２６】
また、例えば、図７の「住所録」の画面で特定の行が選択されていない場合や、氏名の行が選択されている場合は、上記と同様な選択をし、自宅住所や自宅電話の行が選択されている場合は自宅電話、勤務先名称、部署・役職、勤務先住所、勤務先電話番号の行が選択されている場合は、勤務先電話を選択するようにしても良い。いずれの場合にしても、ダブルタッチしてそのまま蓋を開いた状態ならば、図１２の「電話」画面に移行し、通話番号表示窓３２に選択された通話番号（電話番号）が表示され、タッチ又はダブルタッチして蓋を閉じたならば、図１に示す液晶ディスプレイ４の可視領域に選択された通話番号（電話番号）が表示される。
【０１２７】
タッチ又はダブルタッチして蓋を閉じた場合は、例えば、図５に示すような表示画面となり、電話帳操作中３６の状態になる。ここで、例えば、移動キー「Ｕ」「Ｄ」を操作することによって、住所録に格納された通話番号の内、表示された通話番号の前後の通話番号を図１に示した液晶ディスプレイ４の可視領域に表示し、発信キー「Ｓ」を押下することによって、表示された通話番号に対応する相手先に通話することができる。
【０１２８】
図２４から図２９迄の図は、上記動作の説明の具体例を示したものである。
図２４は、蓋開状態の「電話」画面で「０４６７１２３４」と、手動的に電話番号を入力しており、電話番号を入力途中であることを示している。この状態で蓋を閉じた場合は、図２５に示すように、入力した所迄の電話番号（「０４６７１２３４＿」６６）が図１に示す液晶ディスプレイ４の可視領域に表示される。この後、図１の電話用キーボード６を操作することにより、その続きから電話番号を入力することができる。従って、蓋開状態での入力が無駄にならず、使い勝手が向上する。
【０１２９】
図２６は、図１１に示す「通話ログ」画面で最上位行（「渡邊建設」が記載された行）をダブルタッチし、「電話」画面に移行した状態を示している。従って、通話番号表示窓３２には、対応する電話番号「（０４６７）１２−３４５６」が表示されている。この状態で蓋を閉じた場合は、図２７に示すように、その電話番号（「０４６７−１２−３４５６」６８）及び対応する相手先（「ＷＡＴＡＮＡＢＥ  ＫＥＮＳＥＴＳＵ」６７）が、図１に示す液晶ディスプレイ４の可視領域に表示される。この後、図１の発信キー「Ｓ」を押下することにより通話することができる。従って、蓋を閉じてから再び電話番号を入力する必要が無く、使い勝手が向上する。
【０１３０】
図２８は、図７に示した「住所録」画面で「自宅電話」の行をタッチした状態を示している。この状態で蓋を閉じた場合は、図２９に示すように、その電話番号（「０４６７−１１−２２２２」７０）及び対応する相手先（「ＭＡＴＳＵＵＲＡ  ＪＩＲＯ」６９）が、図１に示す液晶ディスプレイ４の可視領域に表示される。更に、この場合は、電話帳操作中３６の状態にもなっており、その状態（モード）を示す「ＴＥＬ．Ｎｏ．ＳＥＡＲＣＨ」１６が、図１に示す液晶ディスプレイ４の可視領域に表示される。この後、図１の移動キー「Ｕ」「Ｄ」を操作することにより住所録に格納された前後の電話番号を検索表示し、発信キー「Ｓ」を押下して通話することができる。従って、所望する相手先付近まで検索されており、蓋を閉じてからの電話番号検索が容易になり、使い勝手が向上する。
【０１３１】
上記の移動キー「Ｕ」「Ｄ」を操作して住所録に格納された電話番号を検索するに際して、相手先は複数の電話番号（例えば、自宅電話と勤務先電話等）を持っているので、相手先を検索したい場合と特定相手先内での電話番号を検索したい場合が生じる。そこで、例えば、相手先の検索は、単に移動キー「Ｕ」「Ｄ」を操作し、表示された相手先内での電話番号を検索する場合は、「＃」キーを押下した後移動キー「Ｕ」「Ｄ」を操作するように構成しても良い。
【０１３２】
また、蓋開状態で住所録を検索した時、その履歴情報を保持しておき、蓋閉状態における上記検索はその順番で実施しても良い。例えば、「＊」キーを押下した後移動キー「Ｕ」「Ｄ」を操作すると、画面に表示される相手先は、住所録に格納されている順番ではなく、蓋開状態で検索した順番に住所録のデータが現れるように構成する。これにより、常に検索しているデータが先に出て来るので、キー操作が減り、使い勝手が向上する。
【０１３３】
図３０は、ＲＡＭ２５に格納された住所録のデータフォーマットの例を示したものである。
図３０は、住所録を検索した時の履歴情報を備えるものである。図中に記載されたデータは、図６及び図７に示した「住所録」画面に対応する。図３０の例では、１データブロック（レコード）は、氏名７１、自宅住所７２、自宅電話７３、自宅ＦＡＸ７４、勤務先名称７５、部署・役職７６、勤務先住所７７、勤務先電話７８、勤務先ＦＡＸ７９、前後ポインタ８０の１０アイテムから構成される。
【０１３４】
蓋開状態で住所録を検索した場合、履歴情報として、前後のデータブロックの先頭番地が図３０に示す前後ポインタ８０の欄に格納される。そこで、上記の「＊」キーを押下した後、移動キー「Ｕ」「Ｄ」を操作した場合、このポインタを辿っていくことにより、蓋開状態で検索した順番に住所録のデータを表示することができる。
なお、以上では、実施の形態１で説明した図１，図２に示す携帯情報端末装置について述べたが、実施の形態２で述べた図１９，図２０の携帯情報端末装置に関しても、情報端末モードから電話機モードに移行する際、同様とすることができる。
【０１３５】
実施の形態４．
上記実施の形態では、蓋の開閉に係る移行画面及び移行電話状態の決定方法について説明したが、蓋閉状態では、蓋開状態に比べて表示画面が小さい。そこで、蓋開状態で得たデータを蓋閉状態で表示するには、蓋閉状態では、蓋開状態での表示画面から情報を選択して表示する必要がある。
【０１３６】
図３０は、ＲＡＭ２５に格納された住所録のデータフォーマットを示す図である。
図３０において、最初のデータブロック（レコード）には、蓋閉状態で表示すべきアイテムが格納されている。この例では、「〔〕」で示したアイテムを表示することにしており、氏名７１と自宅電話７３が該当する。氏名７１では「（）内のみ」と記載されていることから、氏名の読み（ローマ字）だけが表示され、自宅電話７３では「＊」と記載されていることから、このアイテムの全てのデータが表示される。従って、図２８に示した画面で蓋を閉じた場合は、図２９に示した画面のように情報を選択して表示される。
【０１３７】
次に、同一アプリケーション（サービス）に対して、電話機モードにおいては、音声又は短いメッセージを携帯情報端末に出力することによってサーバから携帯情報端末への質問や入力要求を行ない、携帯情報端末の電話用キーボードから入力することによって携帯情報端末からサーバへ応答し、情報端末モードでは携帯情報端末にアプリケーション画面を表示することによって、サーバから携帯情報端末への質問や入力を行ない、表示されたアプリケーション画面の項目を選択する又は所定領域に手書きすることによって携帯情報端末からサーバへ応答することができる携帯情報端末装置について述べる。
蓋閉状態では、基本的には電話の状態である。そこで、例えば、鉄道会社に電話を掛けて座席予約をする場合等では、音声で指示を受け、それに対して電話用キーボード６を押下して応答する方が使い勝手が良いが、蓋開状態では、画面が大きく、画面に入力すべき項目を穴埋め形式で表示し、ペンを用いて入力する方が使い勝手が良い。次に、図３１を用いて、蓋閉状態で画面表示する情報を選択する方法と、蓋の開閉状態によって応答方法を変更する方法を説明する。
図３１は、蓋開状態で電話回線又はデータ回線を用いて座席予約をするアプリケーションの画面例を示す図である。
蓋を開いた状態で、鉄道会社に電話を掛けると、電話番号データベース（図示せず）を検索し、対応したアプリケーションをシステムが自動的に起動する。この例では、図３１に示す「日本鉄道会社座席予約」のアプリケーションが起動されている。ここで、ユーザはペンを用いて「□」の欄に必要な情報を埋める。例えば、「月」「日」の欄は、直接ペンで数字を手書きすることにより、文字認識してコード化される。また、「列車名」の欄は、「列車名」をタッチし、タグ領域２８の「ま」をタッチすると、ウィンドウ８１が表示され、「ま」行で始る列車名が表示される。ここで、例えば、「みらい」をタッチすると、これが列車名の欄に表示される。その後に、「５０１」を直接ペンで手書きすることにより、文字認識してコード化される。
【０１３８】
一方、「席種別」の欄は、「席種別」をタッチすると、ウィンドウ８２が表示され、種別のメニューが表示される。ここで、例えば、「個室」をタッチした後「寝台」をタッチすると、「個室寝台」が席種別の欄に表示される。必要な情報の入力（穴埋め）が終り、「送信」ボタンをタッチすると、システムは当該鉄道会社に電話して入力されたデータを送信する。この場合、当該鉄道会社がデータ回線と電話回線の両方を持っている場合は、データ回線を利用してデータを送信する。電話回線だけを持っている場合は、入力したデータをＤＴＭＦ音に変換し、音声による指示に従ってＤＴＭＦ音を送信する。
【０１３９】
蓋閉状態では、当該鉄道会社に電話を掛ける（電話番号を入力した後、送信キー「Ｓ」を押下する）と、システムは発呼処理をし、回線接続後音声の指示に従って、ユーザはキー操作により必要な情報を入力する。一方、蓋開状態では、当該鉄道会社に電話を掛けても（電話番号を入力した後、送信ボタン「Ｓ」をタッチしても）、システムはこの時点では発呼処理はせず、アプリケーションを起動する。アプリケーションで「送信」ボタンがタッチされた時点で発呼処理を行い、回線接続後にデータ送信する。
以上は、鉄道会社に座席を予約するアプリケーションについて述べたが、同様な方法で劇場に座席を予約する場合、航空会社に座席を予約する場合にも用いることができる。また、区役所等の登録事務のように一定の書式の決まった情報を会社、或いは、団体に送る場合に応用することができる。
【０１４０】
このように、蓋の開閉状態で、それぞれに適合したユーザインタフェースを利用することができる。また、蓋開状態では、通信料金を安く抑えることができるとともに視覚的なユーザインタフェースを利用することができる。また、蓋閉状態で利用するか、蓋開状態で利用するかは、ユーザがその時々の利用場面で自由に選択することができる。
【０１４１】
実施の形態５．
上記実施の形態では、蓋の開閉に係る移行画面の連携方法について説明したが、蓋開状態の中での移行画面についても、同様な方法で履歴情報を用いて移行画面を決定し、少ない操作回数で所望する画面に移行させることができる。
【０１４２】
また、上記実施の形態では、蓋閉状態を電話機モードとし、蓋開状態を情報端末モードとしたが、蓋閉状態でも機能を限定することにより情報端末モードとして用いても良い。例えば、電話機モードで住所録の電話番号を検索するように表示するデータを限定することにより、蓋閉状態においても情報端末モードとして使用することも可能である。
【０１４３】
実施の形態６．
この実施の形態では、携帯電話と個人情報管理機能を融合させた端末機のユーザインタフェースと通信制御について説明する。まず、端末機の構造的特徴について説明する。
図３２に、この実施の形態に係る携帯情報端末装置の扉を閉じた状態の正面図を示す図において、２０１は携帯情報端末装置の本体、２０２は携帯情報端末装置本体２０１にヒンジ２０５を介して取り付けられた扉であり、更に、扉２０２には表示窓２０４とスイッチボタン２０３が設けられている。
【０１４４】
また、図３３は、この実施の形態の携帯情報端末装置の扉２０２を開いた状態の正面図である。
図において、２０７は扉２０２の開閉状況を検知するカバー検出スイッチ（扉開閉検出手段）、２０６はスイッチボタン２０３が押された時に接触するタッチスクリーンである。
【０１４５】
更に、図３４は、この実施の形態の携帯情報端末装置の扉を閉じた断面図である。
図において、スイッチボタン２０３がタッチスクリーン２０６と接する部分は、比較的面積を持った柔らかいゴム（弾性体）２０８により形成されている。また、スイッチボタン２０３は、扉２０２に取り付けられたサポート２０９により指示されている。更に、タッチスクリーン２０６の下方には、タッチスクリーン２０６と接する形で表示装置２１０が実装されている。
【０１４６】
図３５は、この実施の形態６による携帯情報端末装置を携帯電話として使用する外観図、図３６は、この実施の形態６による携帯情報端末装置を主に個人情報管理用の携帯機として使用する場合の使用携帯を示す図である。
図において、２１２はマイク、２１３はスピーカである。
【０１４７】
図３５において、扉を閉じて携帯電話として使用する場合は、本体を縦にして使用することが一般的には使い易いため、表示窓２０４に表示する文字や絵文字は、本体を縦にした状態で縦になるように表示する。扉２０２を閉じた状態で携帯電話として使用しているときに、扉２０２に付いているスイッチボタン２０３の点が押下された場合は、その入力をダイヤルのための操作と判断して押下された数字を表示窓を通して、ユーザが見えるディスプレイの位置に表示する。
【０１４８】
個人情報管理用の携帯機として使用する場合は、スイッチ帳やアドレス帳の情報や受信したメールや自分で作成したメモ等を見ることが多いため、一般的には、本体２０１を横にして横長ディスプレイにした方が使い易い。そのため、ディスプレイの表示は、ディスプレイを横にしたときに文字が縦となる方向、即ち、扉２０２を閉じた状態の表示と９０゜の異なる方向に表示するように制御する。
【０１４９】
文字を表示する方法について、図３７〜図４１の文字表示方法の説明図を用いて説明する。
本体２０１を縦にした状態を図３７のａ点からｂ点に向かって１文字ずつ文字を表示し、ｂ点まで到達したら折り返して次の行に表示し、更に、その行の最後まで到達したら次の行に表示し、順次これを繰り返す。また、本体２０１を横にした状態では、図３８のａ点からｂ点に向かって１文字ずつ文字を表示し、更に、その行の最後まで到達したら次の行に表示し、順次これを繰り返す。本体２０１を縦にした状態での表示において利用した文字のビットマップデータを、本体２０１を横にした状態での表示において利用すると、図３９のようになって不都合なので、本体２０１を横にした状態での表示においては、本体２０１を縦にした状態での表示において利用した文字のビットマップデータとは別のビットマップデータを利用する。本体２０１を縦にした状態と本体２０１を横にした状態で、それぞれ別々のビットマップデータを用いることにより、本体２０１を縦にした状態では、図４０のような表示を実現し、本体２０１を横にした状態では、図４１のような表示を実現する。
【０１５０】
扉の開閉で表示を切り替える方法について説明する。
図４２は、本発明の実施の形態６の構成を示すブロック図である。
図において、２３１は制御部、２３２は無線部、２１２は電話等で話者の音声を入力するためのマイク、２１３は通話中の音声信号及び操作中の効果／警告音等を出力するためのスピーカ、２３５は音声信号のアナログ／デジタル（Ａ／Ｄ）変換等をするためのオーディオインタフェース（Ｉ／Ｆ）回路、２３６は通話の場合とメモリ等に蓄積されている効果／警告音を再生する場合に音声信号の入出力経路を切り替えるための音声信号切替部、２３７はデータ通信を実行するためのモデム部、２３８は画面を表示するための液晶ディスプレイ（ＬＣＤ）、２０６はユーザのタッチ入力を検出するためのタッチスクリーン、２０７は扉２０２の開閉状態を検出するためのカバー検出スイッチである。
【０１５１】
制御部２３１は、タッチスクリーン２０６からのタッチ位置情報とカバー検出スイッチ２０７からのスイッチ状態情報を使用して、扉２０２が閉じている場合のユーザインタフェースと、扉２０２が開いている場合のユーザインタフェースの画面表示を制御する。
【０１５２】
扉２０２が閉じている場合の画面表示例を、図４３に示す。
画面の構成は、３行のライン表示を基本としており、一番上の行には、時刻や無線の電波強度等の電話をかける前にユーザが必要とする情報を表示し、真ん中の行には、ユーザがダイヤル操作を始めたときに入力された電話番号の数字等を表示し、一番下の行には、操作のために必要なメッセージ表示やエラー表示等を行う。図４３に示した例は、電源投入直後のアイドル状態の画面であるため、一番上の行に時刻と電波強度の情報が表示されている。
【０１５３】
扉２０２が閉じている場合のタッチ入力のマッピングは、扉２０２に設けられているスイッチボタン２０３に合わせて行い、ユーザが扉２０２のスイッチボタン２０３を押下することによって、間接的に得られるタッチ位置情報２０３Ａにより選択されたキーを判別してユーザインタフェースの制御を行う。
図４４は、扉２０２を閉じた状態でのダイヤル操作中画面である。
【０１５４】
一方、扉２０２が開いている場合の画面表示例を図４５に示す。
この実施の形態の携帯情報端末装置は、扉２０２が開いている状態でも電話の機能を使用することができる。図４５に示した画面は扉が開いている場合の電話のダイヤル操作画面である。図４５の画面には、ダイヤルする番号を入力するためのテンキーボタンと、個人情報管理機能の中の電子電話帳を呼び出すための住所録ボタンなどがグラフィカルに表示されている。
【０１５５】
扉２０２が開いている場合のタッチ入力のマッピングは、ＧＵＩ（グラフィックユーザインタフェース）に合わせて行う。ユーザは、画面に表示されているボタンやアイコンを直接タッチして操作する。
【０１５６】
扉２０２の開閉による表示切替手順を、図４６に示すフローチャートを用いて説明する。
図４６は、制御部２３１におけるカバー検出スイッチ２０７からの割り込み処理プログラムの動作フローを示すフローチャートである。
カバー検出スイッチ２０７の状態が変化すると、割り込みが発生してプログラムがスタートする（ステップＳ１０）。まず、プログラムは、スイッチの状態を入力ポートから読み出して、扉２０２が閉じられたのか開かれたのか判定する（ステップＳ２０）。扉２０２が閉じられた場合は、扉閉の画面表示制御を行うユーザインタフェース・プログラムに切り替える（ステップＳ３０）。扉２０２が開かれた場合は、扉開の画面表示制御を行うユーザインタフェース・プログラムに切り替える（ステップＳ４０）。なお、ステップＳ２０の開閉状態の判定は、プログラムで前の扉の状態を記憶しておく構成にすることにより、ハードウェアとしては、単に割り込みの発生だけでも実現できる。
【０１５７】
扉閉状態のユーザインタフェース・プログラムと扉開状態のユーザインタフェース・プログラムは、前述した通り、カバー検出スイッチ２０７の割り込みプログラムからそれぞれ起動されるため、独立した２つのソフトウェア・モジュールとして構成することができる。しかしながら、この実施の形態の携帯情報端末装置は、扉２０２を閉じた状態と開いた状態の両方で電話をかける操作が可能であるため、ダイヤルの操作途中でユーザが扉２０２を開閉した場合は、入力操作を継続できるようにすることが必要となる。そのため、画面表示の制御を行うプログラムは、２つの独立したソフトウェア・モジュールであるが、ダイヤルデータ等の電話操作に係わる情報は、共有データにして同じデータをアクセスするようにする。この共有データは、セマフォ等による書き込みのアクセス権の管理を行うことにより、２つの独立したソフトウェア・モジュールからでも安全に使用できる。また、電話操作に係わる情報を管理する専用のソフトウェア・モジュールを設け、そのモジュールが共有データにアクセスするための関数を提供するようにしても、共有データの安全な使用が実現できる。
【０１５８】
次いで、電話のダイヤル操作が終了して相手と通話状態に入ってから扉２０２の開閉があった場合の動作について説明する。
扉２０２を閉じている状態で通話しているときは、通常マイク２１２を口元につけスピーカ２１３を耳にあてて使用する。この使用形態から個人情報管理機能の中のスケジュール帳等を通話を続けながら検索できるように、電話の通話中に扉２０２が開かれたことを検出すると、マイク２１２とスピーカ２１３を口元と耳元から離しても通話ができるレベルに感度及び出力を調整して、ハンズフリーで通話できるように制御を行う。
【０１５９】
更に、通話中にスケジュール帳のデータや受信したメール等を通話相手に送り届けたい場合には、スケジュール帳やメールを開いた画面上に表示している送信ボタンを選択することにより通話モードからデータ通信モードに切り替えを行う。内部の動作としては、制御部２３１が音声信号切替部２３６にマイク２１２から無線部２３２への経路を一時遮断するように指示し、モデム部２３７から無線部２３２への経路を有効にして、電話に使用していた回線をデータ通信のためにモデム側に切り替えを行う。この場合、モデムへの回線の切り替えは、送信側と受信側の両方で行う必要があるため、受信側でも何等かの操作が必要となるが、既に相手とは通話中であるため、送り側からデータ通信を開始するタイミングを電話で告げることができる。データ通信終了のタイミングは、データ通信の手順の中で相互に確認することができるため、通話への復帰は、自動的に行うことができる。
【０１６０】
この実施の形態によれば、本体に表示窓及びスイッチボタン付きの扉を設け、その扉の開閉を検出する手段を備え、扉を閉じて電話として使用する場合と扉を開いて情報処理機能を使用する場合のユーザインタフェースの制御を別々のソフトウェア・モジュールで構成したので、蓋を閉じた場合の画面表示と蓋を開いたときの画面表示を最適にすることができる。また、蓋を開いたときには、大型ディスプレイ全体を使用してグラフィックユーザインタフェース（ＧＵＩ）で操作できる構造となっているので、情報処理機能を拡張していく場合でも物理的なボタンの追加が不要となり、装置のコストとサイズを押さえることができる。
【０１６１】
実施の形態７．
以下、この発明の一実施の形態として、入力表示部がスライドカバーを有する携帯用電子機器について説明する。この実施の形態７で述べる携帯用電子機器は、例えば、前述した実施の形態１〜６で述べた携帯情報端末装置である。或いは、その他の携帯可能な電子機器であってもよい。
図４７，図４８において、３０１は携帯用電子機器本体、３０２はスライドカバー、３０３は入力表示部、３０４は携帯用電子機器本体３０１に設けられたレール部、３０５はレール部３０４に嵌合するスライドカバー３０２の摺動突き出し部、３０６はスイッチ、３１９はスイッチを配置したスイッチパネル、３２０は入力表示部３０３とスイッチパネル３１９を配置した配置面である。
図４７は、スライドカバー３０２が閉じたときを示している。図４８は、スライドカバー３０２が開いたときを示している。
【０１６２】
次に、動作について説明する。
携帯用電子機器本体を、図４７の仮想線で示したように、片手で握り親指を上下に滑らすことで、スライドカバー３０２の開閉が可能となる。更に、入力表示部３０３とスイッチ３０６及びレール部３０４を、図のように配置したことで、スライドカバーを開いたときはスイッチ３０６を隠し、スイッチ３０６を保護する状態となる。
上記のように構成したので、片手で容易にスライドカバーの開閉が可能となる。更に、スライドカバーが入力表示部を開いたとき、逆にスイッチを隠すことになり、誤ってスイッチを押してしまうことを防止できる。
【０１６３】
また、図４９（ａ），（ｂ）は、他の例を示す携帯用電子機器の模式図である。
３０７は入力表示装置、３０８と３０８ａは携帯用電子機器本体３０１のスイッチ３０６の間にレール状に細長く、或いは、円錐状に設けた支持突起部、３０９はその支持突起部３０８，３０８ａに接するスライドカバー３０２に設けられたあて面である。入力表示装置３０７の入力表示部３０３より外側で、かつ、入力表示部３０３の額縁の領域の上部３２１に、レール部３０４を図４９（ａ），（ｂ）のように配置することで、従来のようにカバーの開閉のためのヒンジ部やレール部に余計に設けなければいけなかった横幅方向の領域が必要なくなり、横幅寸法Ｗをできる限り小さくできる。
従って、携帯用電子機器本体３０１の幅をできるだけ小さくでき、片手で握りやすくなる。このため、操作性が向上する。
【０１６４】
また、図４９（ａ），（ｂ）に示したように、携帯用電子機器本体３０１のスイッチ３０６間にレール状に細長く、或いは、円錐状に設けた支持突起部３０８と、その支持突起部３０８に接するスライドカバー３０２に設けられたあて面３０９により、スライドカバー３０２の上面より受けた仮想線で示した力は、あて面３０９を介して支持突起部３０８，３０８ａで受け止められ、スライドカバー３０２をたわませることがなく、また同時に、スイッチ３０６を押してしまうことを防ぐ。従って、誤っってスライドカバーに過度な力が加わっても、スライドカバーを壊すことがなく、また、スイッチが誤って押されることがないため、耐久性と操作性の向上につながる。
【０１６５】
図５０は、レール部の端部を示す一部破断模式図である。
３１０は携帯用電子機器本体３０１のレール部３０４の端部に仕込まれたスイッチレバーである。３１１はそのスイッチレバーに接して配置されている開閉モード切り替えスイッチである。
【０１６６】
スライドカバー３０２の開閉動作に応じて、スイッチレバー３１０が矢印Ａの方向に押し込まれ、それに連動して開閉モード切り替えスイッチ３１１が押されて、ＯＮ／ＯＦＦの動作を行う。この信号を検知して、スライドカバーの開閉の違いによって表示モードを切り替える。スイッチレバー３１０は、レール溝の中に配置されており、開閉モード切り替えスイッチ３１１が誤動作しにくい構造となっている。
【０１６７】
更に、図５１に示したように、スライドカバーの機能を損なわない程度にスライドカバー３０２を一部切り欠くようにしてもよい。この切り欠き部３１２から見える入力表示部３０３を使って、切り欠き部３１２から見える小型の表示面に合わせた表示画面を生成して表示する。逆に、スライドカバーを開いたときは、表示面全体の表示画面に切り替える。また、図５２に示すように、切り欠きではなく、一部に透明部３１３があるスライドカバーにしてもよい。
【０１６８】
このように、スライドカバー３０２が閉じているときでも携帯用電子機器の操作ができ、開閉モード切り替えスイッチ３１１と連動させて、スライドカバー３０２の開閉の違いにより携帯用電子機器の多目的な利用が可能になり、携帯用電子機器の機能向上と操作性向上が図れる。
【０１６９】
図５３は、スライドカバー３０２とレール部３０４に設けられた開閉保持突起部を示す模式図である。
３１４は携帯用電子機器本体３０１のレール部３０４の両端周辺に設けられた開閉保持突起部である。同様に、３１５は開閉保持突起部３１４に相対的に位置するスライドカバー３０２の摺動突き出し部３０５に設けられた開閉保持突起部である。
【０１７０】
スライドカバー３０２の開閉動作に応じて、開閉保持突起部３１４と開閉保持突起部３１５が相互に突起部の山を乗り越えるような形で関係しあいクリック感を出し、合わせてお互いの突起部が障害物となることでスライドカバー３０２とレール部３０４との相対位置が変わってしまうことを防止し、スライドカバー３０２を開いた位置及び閉じた位置にて保持できる。
【０１７１】
更に、図５４は、開閉保持突起部３１４、３１５とは異なる別の脱落防止突起部を示す模式図である。
図の中で、３１６はレール部３０４の一端に設けられた脱落防止突起部である。また、その脱落防止突起部３１６の断面形状を図５５に示す。
【０１７２】
脱落防止突起部３１６の断面は、図５５に示すように、一端は、左からのスライドカバー３０２の摺動突き出し部３０５の接近に対して、乗り越えられるよう比較的緩やかな勾配角度Ａを持っており、他端は、右からの摺動突き出し部３０５の接近に対して、決して乗り越えられない壁になるよう直角に近い急な勾配角度Ｂを持っている。
【０１７３】
初期のスライドカバー未装着時に、図５５に示すように、勾配角度Ａに接近する方向からスライドカバー３０２が携帯用電子機器本体３０１のレール部３０４に挿入され、取り付けられる。その後、スライドカバー３０２が開かれるときに、勾配角度Ｂに接近するよう動作する。しかし、破壊されるような異常な力が働かない限り、スライドカバー３０２は、脱落防止突起部３１６の勾配角度Ｂの壁に阻まれて、それ以上動くことがない。
【０１７４】
このように、スライドカバー３０２の開閉時の各々の位置において、開閉保持突起部３１４と開閉保持突起部３１５との相互関係で、スライドカバー３０２が保持され、自然にずれてきたりすることがない。合わせて操作上、クリック感を得られる。また、脱落防止突起部３１６の形状を、前述したように構成することで、スライドカバー３０２が操作時に携帯用電子機器本体３０１から落ちたりすることがない。このような効果が得られるので、携帯用電子機器の操作性が向上する。
【０１７５】
図５６は、スライドカバーの形状を示す模式図である。
図５７は、その断面図である。
３１７は携帯用電子機器本体３０１のレール部３０４と接する摺動突き出し部３０５の内側に設けられたスライド動作補助突起部であり、スライドカバー３０２の開閉動作時に適度な抵抗感を持たせるようにしている。
３１８はスライドカバー３０２の表面に設けられた凹凸部であり、握ったときに指が触れる周辺に付けられ、意匠性も兼ねている。
【０１７６】
携帯用電子機器本体３０１を握ったときに、指が触れる凹凸部３１８を手がかりにしてスライドカバー３０２の開閉動作を行う。また、スライド動作補助突起部３１７により、ガタがなく、かつ、滑らかにスライドカバー３０２が動くように構成している。
従って、スライドカバー３０２の凹凸部３１８とスライド動作補助突起部３１７により、スライドカバー３０２が指で簡単に開閉操作ができ、その動きも円滑であり、携帯用電子機器の操作性の向上が図れる。
【０１７７】
以上のように、この実施の形態では、スライドカバーを備えた携帯用電子機器の操作性の向上を目的として、入力表示部を保護するために設けられたスライドカバーの実装機構構造について説明した。
【０１７８】
この実施の形態における携帯用電子機器は、携帯用電子機器の本体にレール部を持つ構造とし、スライドカバーが閉じたときは、入力表示部を覆うとともに、スライドカバーが開いたときは、スイッチを覆うように構成されている。レール部は、本体の横幅が増えないように入力表示部の額縁領域を利用して配置されている。また、本体側に支持突起部を、スライドカバー側にそのあて面を設けている。また、レール部の一部にスライドカバーの開閉モードを検知するスイッチを設け、スライドカバーの一部に切り欠きを入れたり、スライドカバーの一部を透明窓にすることで、スライドカバーを閉じたときも、機能の向上を図ることができるように構成している。また、スライドカバーの開閉位置を保持する開閉保持突起部を設け、スライドカバーが脱落しないように脱落防止突起部を設け、更に、ガタがなく、滑らかにスライド動作するようにスライド動作補助突起部を付加している。
【０１７９】
この実施の形態に係る携帯用電子機器は、幅が狭く片手にてスライドカバーの操作ができ、誤ってスイッチを押してしまうことを防ぎ、スライドカバーに加わる外力にも耐え、更に、スライドカバーの開閉を検知してモード機能を付加するなどの効果がある。また、スライドカバーの開閉位置を保持し、脱落したりしないようになっており、スライドカバーが円滑に動作する。
【０１８０】
【発明の効果】
以上のように、この発明よれば、スライド式の蓋を採用することによって電話中でも片手で蓋の開閉を容易にできるので、使い勝手がよい。
【０１８１】
また、この発明によれば、蓋の位置により表示手段の表示領域の大きさと、表示する情報の向きを変更することができるので、蓋の位置により携帯情報端末装置の使い分けができる。
【０１８２】
また、この発明によれば、電話機モードから情報端末モードに移行する場合、表示するアプリケーション画面を自動的に決定することができる。そのため、操作回数を減少させるとともに、所望の画面が表示されるまでの待ち時間を減少させることができる。
【０１８３】
また、この発明によれば、遷移表により電話機モードから情報端末モードに移行する場合の移行画面を決定することができる。
【０１８４】
また、この発明によれば、ユーザ情報を用い、移行画面を決定することができる。
【０１８５】
また、この発明によれば、履歴情報に基づき、移行画面を決定することができる。
【０１８６】
また、この発明によれば、通話ログ情報に基づき、移行画面を決定することができる。
【０１８７】
また、この発明によれば、情報端末モードにおいて得られたデータを電話機モードで利用することができる。
【０１８８】
また、この発明によれば、アプリケーション間でデータを移行することができるので、１つのアプリケーションから他のアプリケーションに移行した場合、データを改めて入れる必要がないため、ユーザの使い勝手が良くなる。
【０１８９】
また、この発明によれば、蓋の位置に関わらず、電話をかけることができるため、蓋の開閉操作回数を減少させることができる。また、ユーザの使い勝手が良くなる。
【０１９０】
また、この発明によれば、通話ログ情報を用いることにより、移行画面に前回得られたデータを表示することができる。
【０１９１】
また、この発明によれば、携帯情報端末装置から予約に必要な情報を入力し、送信することができる。
【０１９２】
また、この発明によれば、電話機モードと情報端末モードのどちらでも同一のアプリケーションを実行でき、その時々で、使い勝手の良い方を選ぶことができる。
【０１９３】
また、この発明によれば、情報端末モードから電話機モードに移行する場合、表示する情報を取捨選択することができ、情報の表示量を減らすことができる。
【０１９４】
また、この発明によれば、電話機モードにおいて、情報端末モードにおけるアプリケーションを限定して、或いは、表示する情報量を減らして実行することができる。
【０１９５】
また、この発明の携帯情報端末装置によれば、本体に表示窓及びスイッチボタン付きの扉を設け、その扉の開閉を検出する手段を備え、扉を閉じて電話として使用する場合と扉を開いて情報処理機能を使用する場合のユーザインタフェースの制御を別々のソフトウェア・モジュールで構成したので、蓋を閉じた場合の画面表示と蓋を開いたときの画面表示を最適にすることができる。
【０１９６】
また、この発明によれば、電話操作に係る情報が共有データなので、扉の開閉に関わらず、電話がかけられる。
【０１９７】
また、この発明によれば、共有データを安全に使用できる。
【０１９８】
また、この発明によれば、扉を閉めている場合は、携帯電話としてのキー操作で電話がかけられる。
【０１９９】
また、この発明によれば、扉を閉めている場合は、ディスプレイの画面表示を縦方向表示に切り替えることができる。
【０２００】
また、この発明によれば、スイッチボタンの押下をタッチスクリーンで検出できる。
【０２０１】
また、この発明によれば、蓋を開いたときには、大型ディスプレイ全体を使用してグラフィックユーザインタフェース（ＧＵＩ）で操作できる構造となっているので、情報処理機能を拡張していく場合でも物理的なボタンの追加が不要となり、装置のコストとサイズを押さえることができる。
【０２０２】
また、この発明によれば、扉を開いている場合は、ディスプレイの画面表示を横方向表示に切り替えることができる。
【０２０３】
また、この発明によれば、扉を開いている場合は、グラフィックユーザインタフェース（ＧＵＩ）によるタッチ操作で使用できる。
【０２０４】
また、この発明によれば、入出力感度を変更するので、ハンズフリーで電話がかけられる。
【０２０５】
また、この発明によれば、データ通信と通話を切り替えて使用することができる。
【０２０６】
また、この発明の携帯用電子機器によれば、スライドカバーの片手での開閉操作を可能にする。
【０２０７】
また、この発明によれば、スイッチを誤って押すことを防止する。
【０２０８】
また、この発明によれば、レール部を用いているので、開閉部分がコンパクトになり、操作性を向上する。
【０２０９】
また、この発明によれば、スライドカバーに力が加えられた場合でも、本体側に設けられた支持突起部によりその力を受け、耐久性が向上する。
【０２１０】
また、この発明によれば、レール部に設けられたスイッチ回路によりスライドカバーの位置に連動して表示モードを変えられ、操作性が向上する。
【０２１１】
また、この発明によれば、スライドカバーの一部を切り欠いたので、入力表示部の一部が見えるようになり、開閉モード切り替えに対応して表示内容を変えられる。
【０２１２】
また、この発明によれば、スライドカバーの一部を透明にしたので、入力表示部の一部が見えるようになり、開閉モード切り替えに対応して表示内容を変えられる。
【０２１３】
また、この発明によれば、レール部とスライドカバーに設けられた開閉保持突起部により、スライドカバーを開及び閉の位置にて保持できる。
【０２１４】
また、この発明によれば、脱落防止突起部によりスライドカバーの装着を容易にするとともに、脱落防止が可能となる。
【０２１５】
また、この発明によれば、操作時に指が触れる周辺に凹凸部を設けたので、スライドカバー開閉時の操作性を向上させる。
【０２１６】
また、この発明によれば、スライドカバーに本体のレール部と接する所にスライド動作補助突起部を設けたので、滑らかなスライドができる。
【図面の簡単な説明】
【図１】本発明の一実施の形態に係る携帯情報端末装置の外観を示す平面図である。
【図２】本発明の一実施の形態に係る携帯情報端末装置の外観を示す平面図である。
【図３】本発明の一実施の形態に係る携帯情報端末装置の電気的な構成図である。
【図４】本発明に係る携帯情報端末装置の蓋閉状態での動作（ユーザインタフェース）を説明するための図である。
【図５】本発明に係る携帯情報端末装置の蓋閉状態での動作（ユーザインタフェース）を説明するための図である。
【図６】本発明に係る携帯情報端末装置の蓋開状態における住所録の氏名リストの表示例の図である。
【図７】本発明に係る携帯情報端末装置の蓋開状態における住所録の詳細情報の表示例の図である。
【図８】本発明に係る携帯情報端末装置の蓋開状態におけるスケジュール帳の月カレンダの表示例の図である。
【図９】本発明に係る携帯情報端末装置の蓋開状態におけるスケジュール帳の詳細情報の表示例の図である。
【図１０】本発明に係る携帯情報端末装置の蓋開状態におけるメモ帳の表示例の図である。
【図１１】本発明に係る携帯情報端末装置の蓋開状態における通話ログの表示例の図である。
【図１２】本発明に係る携帯情報端末装置の蓋開状態における電話画面の表示例の図である。
【図１３】本発明に係る携帯情報端末装置の蓋閉状態から蓋開状態に移行する場合の動作を説明するための図である。
【図１４】本発明に係る携帯情報端末装置の遷移表の例を示す図である。
【図１５】本発明に係る携帯情報端末装置のユーザ情報の例を示す図である。
【図１６】本発明に係る携帯情報端末装置の履歴情報の例を示す図である。
【図１７】本発明に係る携帯情報端末装置の通話ログの例を示す図である。
【図１８】本発明に係る携帯情報端末装置の蓋閉状態から蓋開状態に移行する場合の動作を説明するためのフローチャート図である。
【図１９】本発明の一実施の形態に係る携帯情報端末装置の外観を示す平面図である。
【図２０】本発明の一実施の形態に係る携帯情報端末装置の外観を示す平面図である。
【図２１】本発明に係る携帯情報端末装置における蓋閉状態の動作（ユーザインタフェース）を説明するための図である。
【図２２】本発明に係る携帯情報端末装置における蓋閉状態の動作（ユーザインタフェース）を説明するための図である。
【図２３】本発明の一実施の形態に係る携帯情報端末装置の蓋開状態から蓋閉状態に移行する場合の動作を説明するための図である。
【図２４】本発明に係る携帯情報端末装置の蓋開状態から蓋閉状態に移行する場合の動作を説明するための電話画面の図である。
【図２５】携帯情報端末装置の図２４に示す蓋開状態から蓋閉状態に移行する場合の動作を説明するための電話機モードの表示画面の図である。
【図２６】本発明に係る携帯情報端末装置の蓋開状態から蓋閉状態に移行する場合の動作を説明するための電話画面の図である。
【図２７】携帯情報端末装置の図２６に示す蓋開状態から蓋閉状態に移行する場合の動作を説明するための電話機モードの表示画面の図である。
【図２８】本発明に係る携帯情報端末装置の蓋開状態から蓋閉状態に移行する場合の動作を説明するための住所録画面の図である。
【図２９】携帯情報端末装置の図２８に示す蓋開状態から蓋閉状態に移行する場合の動作を説明するための電話機モードの表示画面の図である。
【図３０】本発明に係る携帯情報端末装置のＲＡＭに格納された住所録のデータフォーマットの例を示す図である。
【図３１】本発明に係る携帯情報端末装置の蓋開状態での座席予約の画面の例を示す図である。
【図３２】この発明の携帯情報端末装置の扉を閉じた状態の正面図である。
【図３３】この発明の携帯情報端末装置の扉を開いた状態の正面図である。
【図３４】この発明の携帯情報端末装置の扉を閉じた状態の断面図である。
【図３５】この発明の実施の形態６による携帯情報端末装置を携帯電話として使用する場合の外観図である。
【図３６】この発明の実施の形態６による携帯情報端末装置を個人情報管理用携帯機として使用する場合の使用形態を示す図である。
【図３７】この発明の実施の形態６による携帯情報端末装置の文字表示方法の説明図（その１）である。
【図３８】この発明の実施の形態６による携帯情報端末装置の文字表示方法の説明図（その２）である。
【図３９】この発明の実施の形態６による携帯情報端末装置の文字表示方法の説明図（その３）である。
【図４０】この発明の実施の形態６による携帯情報端末装置の文字表示方法の説明図（その４）である。
【図４１】この発明の実施の形態６による携帯情報端末装置の文字表示方法の説明図（その５）である。
【図４２】この発明の実施の形態６による携帯情報端末装置の構成を示すブロック図である。
【図４３】この発明の実施の形態６による携帯情報端末装置の扉を閉じた状態の画面表示例を示す図である。
【図４４】この発明の実施の形態６による携帯情報端末装置の扉を閉じた状態のダイヤル操作中画面表示例を示す図である。
【図４５】この発明の実施の形態６による携帯情報端末装置の扉を開いた状態の画面表示例を示す図である。
【図４６】この発明の実施の形態６による携帯情報端末装置の扉の開閉による表示切替手順を示すフローチャート図である。
【図４７】本発明の一実施の形態による携帯用電子機器のスライドカバーを閉じたときの模式図である。
【図４８】本発明の一実施の形態による携帯用電子機器のスライドカバーを開いたときの模式図である。
【図４９】本発明の一実施の形態による携帯用電子機器の模式図である。
【図５０】本発明の一実施の形態による携帯用電子機器のレール部の一部を示す模式図である。
【図５１】本発明の一実施の形態による携帯用電子機器の模式図である。
【図５２】本発明の一実施の形態による携帯用電子機器の模式図である。
【図５３】本発明の一実施の形態による携帯用電子機器の模式図である。
【図５４】本発明の一実施の形態による携帯用電子機器のレール部の一部を示す模式図である。
【図５５】本発明の一実施の形態による携帯用電子機器の落下防止突起部の断面図である。
【図５６】本発明の一実施の形態による携帯用電子機器の模式図である。
【図５７】本発明の一実施の形態による携帯用電子機器のスライド動作補助突起部の断面図である。
【図５８】従来の携帯情報端末装置の外観を示す平面図である。
【図５９】従来の携帯情報端末装置の外観を示す平面図である。
【図６０】従来の携帯情報端末装置の電子手帳用データを記憶するメモリの構成を示す図である。
【図６１】従来の携帯情報端末装置の液晶ディスプレイ４に表示される画面の例を示す図である。
【図６２】従来の携帯情報端末装置の液晶ディスプレイ４に表示される画面の例を示す図である。
【図６３】従来の携帯情報端末装置の液晶ディスプレイ４に表示される画面の例を示す図である。
【図６４】別の従来の携帯情報端末装置の外観を示す平面図である。
【図６５】別の従来の携帯情報端末装置の外観を示す平面図である。
【図６６】別の従来の携帯情報端末装置の動作を示すフローチャート図である。
【図６７】従来の携帯用電子機器のカバーを示す模式図である。
【符号の説明】
１  携帯情報端末装置本体、２  アンテナ、３  スピーカ、４  液晶ディスプレイ、５  マイク、６  電話用キーボード、７  蓋、９  カバースイッチ、２０タッチスクリーン、２１  プロセッサ、２２  オーディオプロセッサ、２３  無線送受信部、２４  ＲＯＭ、２５  ＲＡＭ、２６  電源、３３  スタンバイ中、３４  ダイヤル中、３５  通話中、３６  電話帳操作中、３７  電話、３８  通話ログ、３９  メモ帳、４０  スケジュール帳、４１  住所録、２０１  本体、２０２  扉、２０３  スイッチボタン、２０４  表示窓、２０６  タッチスクリーン、２０７  カバー検出スイッチ、２３１  制御部、２３２  無線部、２３６  音声信号切替部、２３７  モデム部、２３８  液晶ディスプレイ（ＬＣＤ）、３０１  携帯用電子機器本体、３０２  スライドカバー、３０３  入力表示部、３０４  レール部、３０５  摺動突起部、３０６  スイッチ、３０７  入力表示装置、３０８  支持突起部、３０９  あて面、３１０  スイッチレバー、３１１  開閉モード切り替えスイッチ、３１２  切り欠き部、３１３  透明窓、３１４  開閉保持突起部、３１５  開閉保持突起部、３１６  脱落防止突起部、３１７  スライド動作補助突起部、３１８  凹凸部、３１９  スイッチパネル。
【図１】
0003606498.tif 000002
【図２】
0003606498.tif 000003
【図３】
0003606498.tif 000004
【図４】
0003606498.tif 000005
【図５】
0003606498.tif 000006
【図６】
0003606498.tif 000007
【図７】
0003606498.tif 000008
【図８】
0003606498.tif 000009
【図９】
0003606498.tif 000010
【図１０】
0003606498.tif 000011
【図１１】
0003606498.tif 000012
【図１２】
0003606498.tif 000013
【図１３】
0003606498.tif 000014
【図１４】
0003606498.tif 000015
【図１５】
0003606498.tif 000016
【図１６】
0003606498.tif 000017
【図１７】
0003606498.tif 000018
【図１８】
0003606498.tif 000019
【図１９】
0003606498.tif 000020
【図２０】
0003606498.tif 000021
【図２１】
0003606498.tif 000022
【図２２】
0003606498.tif 000023
【図２３】
0003606498.tif 000024
【図２４】
0003606498.tif 000025
【図２５】
0003606498.tif 000026
【図２６】
0003606498.tif 000027
【図２７】
0003606498.tif 000028
【図２８】
0003606498.tif 000029
【図２９】
0003606498.tif 000030
【図３０】
0003606498.tif 000031
【図３１】
0003606498.tif 000032
【図３２】
0003606498.tif 000033
【図３３】
0003606498.tif 000034
【図３４】
0003606498.tif 000035
【図３５】
0003606498.tif 000036
【図３６】
0003606498.tif 000037
【図３７】
0003606498.tif 000038
【図３８】
0003606498.tif 000039
【図３９】
0003606498.tif 000040
【図４０】
0003606498.tif 000041
【図４１】
0003606498.tif 000042
【図４２】
0003606498.tif 000043
【図４３】
0003606498.tif 000044
【図４４】
0003606498.tif 000045
【図４５】
0003606498.tif 000046
【図４６】
0003606498.tif 000047
【図４７】
0003606498.tif 000048
【図４８】
0003606498.tif 000049
【図４９】
0003606498.tif 000050
【図５０】
0003606498.tif 000051
【図５１】
0003606498.tif 000052
【図５２】
0003606498.tif 000053
【図５３】
0003606498.tif 000054
【図５４】
0003606498.tif 000055
【図５５】
0003606498.tif 000056
【図５６】
0003606498.tif 000057
【図５７】
0003606498.tif 000058
【図５８】
0003606498.tif 000059
【図５９】
0003606498.tif 000060
【図６０】
0003606498.tif 000061
【図６１】
0003606498.tif 000062
【図６２】
0003606498.tif 000063
【図６３】
0003606498.tif 000064
【図６４】
0003606498.tif 000065
【図６５】
0003606498.tif 000066
【図６６】
0003606498.tif 000067
【図６７】
0003606498.tif 000068